(57)【特許請求の範囲】
【請求項１】
操作者に情報を表示する長方形の表示画面と；
重力加速度を検出する加速度センサと；
前記表示画面に長方形の第１の情報ウインドウおよび長方形の第２の情報ウインドウを描画する描画部と；
前記情報ウインドウの表示並びに切り替えについて定める情報ウインドウ表示基準を記録保存する記録保存部とを備え；
前記描画部は、前記第１の情報ウインドウまたは第２の情報ウインドウのいずれか一方が前記表示画面に表示されているとき、前記検出された重力加速度の表示画面長辺方向成分の表示画面短辺方向成分に対する割合が前記情報ウインドウ表示基準で定める第一の所定の割合に至ったときに、前記第１の情報ウインドウおよび前記第２の情報ウインドウを前記第１の情報ウインドウ長辺方向と前記第２の情報ウインドウ長辺方向とが前記表示画面長辺方向と直交するように前記表示画面長辺方向に並べて表示するように構成され；
前記描画部は、前記第１の情報ウインドウと第２の情報ウインドウとが並べて表示されているとき、前記検出された重力加速度の表示画面長辺方向成分の表示画面短辺方向成分に対する割合が前記情報ウインドウ表示基準で定める第二の所定の割合に至ったときに、前記第１の情報ウインドウおよび第２の情報ウインドウの一方を前記情報ウインドウ表示基準に従って選択し前記選択された情報ウインドウの情報ウインドウ長辺方向と前記表示画面長辺方向とが同じ方向となるように前記選択された情報ウインドウを前記表示画面長辺方向に並べて表示していたときよりも大きく前記表示画面に表示するように構成され；
前記第１の情報ウインドウと第２の情報ウインドウとが横長で、両情報ウインドウが前記表示画面長辺方向に並べて表示されるとき、前記第１の情報ウインドウおよび第２の情報ウインドウの下方向が前記重力加速度の表示画面長辺方向成分の向きとなるように表示され、前記第１の情報ウインドウおよび第２の情報ウインドウの一方を選択して大きく表示するとき、前記選択された情報ウインドウの下方向が前記重力加速度の表示画面短辺方向成分の向きとなるように表示されるように構成され；
前記第１の情報ウインドウと第２の情報ウインドウとが縦長で、両情報ウインドウが前記表示画面長辺方向に並べて表示されるとき、前記第１の情報ウインドウおよび第２の情報ウインドウの下方向が前記重力加速度の表示画面短辺方向成分の向きとなるように表示され、前記第１の情報ウインドウおよび第２の情報ウインドウの一方を選択して大きく表示するとき、前記選択された情報ウインドウの下方向が前記重力加速度の表示画面長辺方向成分の向きとなるように表示されるように構成され；
前記表示画面の法線の周りの回転を検出するジャイロセンサを備え；
前記描画部は、前記検出された重力加速度の表示画面長辺方向成分と表示画面短辺方向成分との差異を検出できないときであって、前記第１の情報ウインドウと前記第２の情報ウインドウとの一方が前記表示画面に表示されているとき、前記検出された回転が前記情報ウインドウ表示基準で定める所定の値を越えたときに、前記第１の情報ウインドウおよび前記第２の情報ウインドウを前記第１の情報ウインドウ長辺方向と前記第２の情報ウインドウ長辺方向とが前記表示画面長辺方向と直交するように前記表示画面長辺方向に並べて表示するように構成され；
前記描画部は、前記検出された重力加速度の表示画面長辺方向成分と表示画面短辺方向成分との差異を検出できないときであって、前記第１の情報ウインドウと前記第２の情報ウインドウとが並べて表示されているとき、前記検出された回転が前記情報ウインドウ表示基準で定める所定の値を越えたときに、前記第１の情報ウインドウおよび第２の情報ウインドウの一方を前記情報ウインドウ表示基準に従って選択し前記選択された情報ウインドウの情報ウインドウ長辺方向と前記表示画面長辺方向とが同じ方向となるように前記選択された情報ウインドウを、前記表示画面長辺方向に並べて表示していたときよりも大きく前記表示画面に表示するように構成された；
携帯情報端末。
【請求項２】
前記第１の情報ウインドウおよび第２の情報ウインドウの一方を選択して大きく表示するとき、前記表示画面を前記２つの情報ウインドウを並べて表示した状態から、前記表示画面を左に傾けたときと右に傾けたときとで、選択する情報ウインドウを前記第１の情報ウインドウとするか第２の情報ウインドウとするかを前記情報ウインドウ表示基準により予め定めておく；
請求項１に記載の携帯情報端末。
【請求項３】
前記第１の情報ウインドウおよび第２の情報ウインドウの一方を選択して大きく表示するとき、前記表示画面を前記２つの情報ウインドウを並べて表示した状態から、左と右のいずれかに傾ける毎に、選択する情報ウインドウを前記第１の情報ウインドウと第２の情報ウインドウとで切り替えるように前記情報ウインドウ表示基準により予め定めておく；
請求項１に記載の携帯情報端末。
【請求項４】
前記加速度センサが前記情報ウインドウ表示基準に定める所定の加速度を検出したときに、前記第１の情報ウインドウおよび第２の情報ウインドウとは異なる情報を表示する第３の情報ウインドウおよび第４の情報ウインドウを前記第１の情報ウインドウおよび第２の情報ウインドウと入れ替えるように構成された、
請求項１乃至請求項３のいずれか１項に記載の携帯情報端末。
【請求項５】
前記加速度センサの検出結果に基づいて、前記表示画面を縦長に用いる場合には前記表示画面の２つの短辺の一方を下辺と定め、あるいは前記表示画面を横長に用いる場合には前記表示画面の２つの長辺の一方を下辺と定め、前記第１の情報ウインドウと第２の情報ウインドウとの一方を選択して大きく表示するとき、および両方の情報ウインドウを並べて表示するとき、いずれも前記情報ウインドウの下方向を前記表示画面の前記下辺に向けて表示する、
請求項１乃至請求項４のいずれか１項に記載の携帯情報端末。
【請求項６】
前記第１の情報ウインドウおよび第２の情報ウインドウの一方を前記選択して前記表示画面に表示するときに、他方の情報ウインドウを前記表示画面に縮小表示により表示するように構成された、
請求項１乃至請求項５のいずれか１項に記載の携帯情報端末。
【請求項７】
携帯情報端末にインストールして前記携帯情報端末に次のステップをおこなわせるためのプログラムであって；
加速度センサに重力加速度を検出させるステップと；
長方形の表示画面に長方形の第１の情報ウインドウおよび長方形の第２の情報ウインドウを描画させるステップとを備え；
前記第１および第２の情報ウインドウを描画させるステップは、前記第１の情報ウインドウまたは第２の情報ウインドウのいずれか一方を前記表示画面に表示させているとき、前記検出させた重力加速度の表示画面長辺方向成分の表示画面短辺方向成分に対する割合が前記情報ウインドウの表示並びに切り替えについて定める情報ウインドウ表示基準で定める第一の所定の割合に至ったときに、前記第１の情報ウインドウおよび前記第２の情報ウインドウを前記第１の情報ウインドウ長辺方向と前記第２の情報ウインドウ長辺方向とが前記表示画面長辺方向と直交するように前記表示画面長辺方向に並べて表示させるように構成され；
前記第１および第２の情報ウインドウを描画させるステップは、前記第１の情報ウインドウと第２の情報ウインドウとを並べて表示させているとき、前記検出させた重力加速度の表示画面長辺方向成分の表示画面短辺方向成分に対する割合が前記情報ウインドウ表示基準で定める第二の所定の割合に至ったときに、前記第１の情報ウインドウおよび第２の情報ウインドウの一方を前記情報ウインドウ表示基準に従って選択し前記選択された情報ウインドウの情報ウインドウ長辺方向と前記表示画面長辺方向とが同じ方向となるように前記選択された情報ウインドウを、前記表示画面長辺方向に並べて表示させていたときよりも大きく前記表示画面に表示させるように構成され；
前記第１の情報ウインドウと第２の情報ウインドウとが横長で、両情報ウインドウを前記表示画面長辺方向に並べて表示させるとき、前記第１の情報ウインドウおよび第２の情報ウインドウの下方向が前記重力加速度の表示画面長辺方向成分の向きとなるように表示させ、前記第１の情報ウインドウおよび第２の情報ウインドウの一方を選択して大きく表示させるとき、前記選択された情報ウインドウの下方向が前記重力加速度の表示画面短辺方向成分の向きとなるように表示させるように構成され；
前記第１の情報ウインドウと第２の情報ウインドウとが縦長で、両情報ウインドウを前記表示画面長辺方向に並べて表示させるとき、前記第１の情報ウインドウおよび第２の情報ウインドウの下方向が前記重力加速度の表示画面短辺方向成分の向きとなるように表示させ、前記第１の情報ウインドウおよび第２の情報ウインドウの一方を選択して大きく表示させるとき、前記選択された情報ウインドウの下方向が前記重力加速度の表示画面長辺方向成分の向きとなるように表示させるように構成され；
前記長方形の表示画面の法線の周りの回転をジャイロセンサに検出させるステップを備え；
前記第１および第２の情報ウインドウを描画させるステップは、前記検出させる重力加速度の表示画面長辺方向成分と表示画面短辺方向成分との差異が検出できないときであって、前記第１の情報ウインドウと前記第２の情報ウインドウとの一方を前記表示画面に表示させているとき、前記検出させた回転が前記情報ウインドウ表示基準で定める所定の値を越えたときに、前記第１の情報ウインドウおよび前記第２の情報ウインドウを前記第１の情報ウインドウ長辺方向と前記第２の情報ウインドウ長辺方向とが前記表示画面長辺方向と直交するように前記表示画面長辺方向に並べて表示させるように構成され；
前記第１および第２の情報ウインドウを描画させるステップは、前記検出させる重力加速度の表示画面長辺方向成分と表示画面短辺方向成分との差異が検出できないときであって、前記第１の情報ウインドウと前記第２の情報ウインドウとを並べて表示させているとき、前記検出させた回転が前記情報ウインドウ表示基準で定める所定の値を越えたときに、前記第１の情報ウインドウおよび第２の情報ウインドウの一方を前記情報ウインドウ表示基準に従って選択し前記選択された情報ウインドウの情報ウインドウ長辺方向と前記表示画面長辺方向とが同じ方向となるように前記選択された情報ウインドウを、前記表示画面長辺方向に並べて表示させていたときよりも大きく前記表示画面に表示させるように構成された；
携帯情報端末を制御するためのプログラム。
【請求項８】
前記第１および第２の情報ウインドウを描画させるステップは、前記第１の情報ウインドウおよび第２の情報ウインドウの一方を選択して大きく表示させるとき、前記表示画面に前記２つの情報ウインドウを並べて表示させた状態から、前記表示画面が左に傾けられたときと右に傾けられたときとで、選択する情報ウインドウを前記第１の情報ウインドウとするか第２の情報ウインドウとするかを前記情報ウインドウ表示基準により予め定めておく；
請求項７に記載の携帯情報端末を制御するためのプログラム。
【請求項９】
前記第１および第２の情報ウインドウを描画させるステップは、前記第１の情報ウインドウおよび第２の情報ウインドウの一方を選択して大きく表示させるとき、前記表示画面に前記２つの情報ウインドウを並べて表示させた状態から、前記表示画面が左と右のいずれかに傾けられる毎に、選択する情報ウインドウを前記第１の情報ウインドウと第２の情報ウインドウとで切り替えるように前記情報ウインドウ表示基準により予め定めておく；
請求項７に記載の携帯情報端末を制御するためのプログラム。
【請求項１０】
前記重力加速度を検出させるステップにおいて、前記情報ウインドウ表示基準に定める所定の加速度が検出されたときに、前記第１の情報ウインドウおよび第２の情報ウインドウとは異なる情報を表示する第３の情報ウインドウおよび第４の情報ウインドウと前記第１の情報ウインドウおよび第２の情報ウインドウとを入れ替えるステップを備える、
請求項７乃至請求項９のいずれか１項に記載の携帯情報端末を制御するためのプログラム。
【請求項１１】
前記第１および第２の情報ウインドウを描画させるステップは、前記加速度センサの検出結果に基づいて、前記表示画面が縦長に用いられる場合には前記表示画面の２つの短辺の一方を下辺と定め、あるいは前記表示画面が横長に用いられる場合には前記表示画面の２つの長辺の一方を下辺と定め、前記第１の情報ウインドウと第２の情報ウインドウとの一方を選択して大きく表示させるとき、および両方の情報ウインドウを並べて表示させるとき、いずれも前記情報ウインドウの下方向を前記表示画面の前記下辺に向けて表示させる、
請求項７乃至請求項１０のいずれか１項に記載の携帯情報端末を制御するためのプログラム。
【請求項１２】
前記第１および第２の情報ウインドウを描画させるステップは、前記第１の情報ウインドウおよび第２の情報ウインドウの一方を前記選択して前記表示画面に表示させるときに、他方の情報ウインドウを前記表示画面に縮小表示により表示させるように構成された、
請求項７乃至請求項１１のいずれか１項に記載の携帯情報端末を制御するためのプログラム。
【発明の詳細な説明】
【技術分野】
【０００１】
本発明は、携帯情報端末、携帯情報端末を制御するためのプログラムおよび遠隔教育方法に関し、より詳細には、遠隔教育番組を視聴するための携帯情報端末、携帯情報端末を制御するためのプログラムおよび遠隔教育方法に関する。
【背景技術】
【０００２】
携帯情報端末は操作者が所望する情報を表示画面の適切な領域に表示することができる。携帯情報端末は表示画面を複数の領域に分割して操作者が所望する複数の情報を同時に表示することができる。また、携帯情報端末は操作者の操作に応じて表示画面の表示を切り替えて情報の表示をおこなうことができる。また、携帯情報端末の操作者である遠隔教育の受講者は遠隔教育番組を携帯情報端末を用いて視聴して遠隔教育を受講することができる。
【０００３】
従来、表示画面の短辺方向を縦方向として、表示画面内に１画面分の１画面表示領域を形成する第１の表示モードと、表示画面の長辺方向を縦方向として、表示画面内に２画面分の第１表示領域及び第２表示領域を形成し、第１表示領域と第２表示領域とを上下に並べるようにして形成する第２の表示モードとを有する画像表示装置が知られている。（例えば、特許文献１、請求項１参照。）特許文献１には、操作者の操作に応じて表示画面に切り替え操作画面を表示すると共に、切り替え操作画面の操作者による操作に応じて、表示画面に１画面を表示する第１の表示モードと表示画面に２画面を表示する第２の表示モードとを切り替える画像表示装置が開示されている。（例えば、特許文献１、段落００６７、図１０参照。）
【先行技術文献】
【特許文献】
【０００４】
【特許文献１】特開２００８−０２０９０１号公報
【発明の概要】
【発明が解決しようとする課題】
【０００５】
しかしながら、特許文献１に開示される画像表示装置では、操作者が複数の操作ボタンを順次押下することにより画面の表示モードを切り替えるための切り替え操作画面を表示画面に表示すると共に、さらに操作者が複数の操作ボタンを順次押下することにより表示画面に表示された切り替え操作画面に情報を入力しなければ表示画面の表示モードの切り替えをおこなうことができなかった。また、表示画面に２画面分の表示領域を表示する第２の表示モードから表示画面に１画面分の表示領域のみを表示する第１の表示モードに切り替えをおこなう場合に、操作者は第１の表示モードにおいて表示すべき一の表示領域を複数の操作ボタンを押下することにより選択する情報の入力をおこなう必要があった。このため、操作者は複雑な操作をおこなわなければ携帯情報端末の画面表示を切り替えることができなかった。
【０００６】
本発明はこれらの課題に鑑みてなされたものであり、操作者が簡易な操作により画面の表示モードを切り替えて効率良くかつ詳細に情報を参照することができる携帯情報端末、携帯情報端末を制御するためのプログラムおよび遠隔教育方法を提供することを目的とする。
【課題を解決するための手段】
【０００７】
上記の課題を解決するために、本発明の第１の態様に係る携帯情報端末１０は、例えば図１に示すように、操作者に情報を表示する長方形の表示画面１１と；重力加速度１００（図２参照）を検出する加速度センサ１２と；表示画面１１に長方形の第１の情報ウインドウ１（図２参照）および長方形の第２の情報ウインドウ２（図２参照）を描画する描画部１４と；情報ウインドウ１、２の表示並びに切り替えについて定める情報ウインドウ表示基準Ｄ０１ＳＳ（図５参照）を記録保存する記録保存部２１とを備え；描画部１４は、第１の情報ウインドウ１または第２の情報ウインドウ２のいずれか一方が表示画面１１に表示Ｄ０１（図２参照）されているとき、該検出された重力加速度１００の表示画面長辺方向成分１００ａ（図２参照）の表示画面短辺方向成分１００ｂ（図２参照）に対する割合が情報ウインドウ表示基準Ｄ０１ＳＳで定める第一の所定の割合に至ったＤ０１Ａ（図２参照）ときに、第１の情報ウインドウ１および第２の情報ウインドウ２を第１の情報ウインドウ長辺方向１ａ（図２参照）と第２の情報ウインドウ長辺方向２ａ（図２参照）とが表示画面長辺方向１１ａ（図２参照）と直交するように表示画面長辺方向１１ａに並べて表示Ｄ０２（図２参照）するように構成され；描画部１４は、第１の情報ウインドウ１と第２の情報ウインドウ２とが並べて表示Ｄ０２されているとき、該検出された重力加速度１００の表示画面長辺方向成分１００ａの表示画面短辺方向成分１００ｂに対する割合が情報ウインドウ表示基準Ｄ０１ＳＳで定める第二の所定の割合に至ったＤ０２Ａ（図２参照）ときに、第１の情報ウインドウ１および第２の情報ウインドウ２の一方を情報ウインドウ表示基準Ｄ０１ＳＳに従って選択Ｄ０１Ｓ（図５参照）し選択Ｄ０１Ｓされた情報ウインドウの情報ウインドウ長辺方向と表示画面長辺方向１１ａとが同じ方向となるように選択Ｄ０１Ｓされた情報ウインドウを表示画面長辺方向１１ａに並べて表示Ｄ０２していたときよりも大きく表示画面１１に表示Ｄ０１するように構成され；第１の情報ウインドウ１と第２の情報ウインドウ２とが横長Ｃ０１（図２（ａ）参照）で、両情報ウインドウ１、２が表示画面長辺方向１１ａに並べて表示Ｄ０２されるとき、第１の情報ウインドウ１および第２の情報ウインドウ２の下方向が重力加速度１００の表示画面長辺方向成分１００ａの向きとなるように表示され、第１の情報ウインドウ１および第２の情報ウインドウ２の一方を選択Ｄ０１Ｓして大きく表示Ｄ０１するとき、選択Ｄ０１Ｓされた情報ウインドウの下方向が重力加速度１００の表示画面短辺方向成分１００ｂの向きとなるように表示されるように構成され；第１の情報ウインドウ１と第２の情報ウインドウ２とが縦長Ｃ０２（図２（ｂ）参照）で、両情報ウインドウ１、２が表示画面長辺方向１１ａに並べて表示Ｄ０２されるとき、第１の情報ウインドウ１および第２の情報ウインドウ２の下方向が重力加速度１００の表示画面短辺方向成分１００ｂの向きとなるように表示され、第１の情報ウインドウ１および第２の情報ウインドウ２の一方を選択Ｄ０１Ｓして大きく表示Ｄ０１するとき、選択Ｄ０１Ｓされた情報ウインドウの下方向が重力加速度１００の表示画面長辺方向成分１００ａの向きとなるように表示されるように構成される。
【０００８】
このように構成することにより、該携帯情報端末は、該携帯情報端末の操作者が該携帯情報端末を該情報ウインドウ表示基準で定める第一の所定の角度まで傾ける所定の操作を該加速度センサにより検出することができる。また、該操作者がおこなう該所定の操作により該第一の所定の角度まで傾けられた該携帯情報端末は、該情報ウインドウ表示基準に従って該第１および第２の情報ウインドウのいずれか一方の情報ウインドウを選択すると共に該選択した情報ウインドウを第１の表示モードにより該表示画面に拡大して表示することができる。一方、該携帯情報端末は、該携帯情報端末の操作者が該携帯情報端末を該情報ウインドウ表示基準で定める第二の所定の角度まで傾ける所定の操作を該加速度センサで検出することができる。また、該操作者がおこなう所定の操作により該第二の所定の角度まで傾けられた携帯情報端末は、該情報ウインドウ表示基準に従って該第１および第２の情報ウインドウを第２の表示モードにより該表示画面に並べて表示することができる。また、該情報ウインドウは該横長にも該縦長にも設けることができる。
【０００９】
このため、該携帯情報端末の操作者は、該第１の表示モードにおいて該表示画面に拡大して表示される、該携帯情報端末が該情報ウインドウ表示基準に従って選択する情報ウインドウを詳細に参照することにより該情報ウインドウに表示された情報を詳細に把握することができる。また、該携帯情報端末の操作者は、該第２の表示モードにおいて該表示画面に並べて表示される該第１および第２の情報ウインドウを同時に参照することにより、該第１および第２の情報ウインドウに表示される情報を統合して、あるいは相互に比較して、該第１および第２の情報ウインドウに表示された情報を総合的に把握することができる。このようにして、該携帯情報端末の操作者は、簡易な操作により該第１および第２の表示モードを随意に切り替えて、効率良くかつ詳細に情報を参照することができる。
【００１０】
また、本発明の第２の態様に係る携帯情報端末１０は、本発明の第１の態様に係る携帯情報端末１０において、例えば図２に示すように、第１の情報ウインドウ１および第２の情報ウインドウ２の一方を選択Ｄ０１Ｓ（図５参照）して大きく表示Ｄ０１するとき、表示画面１１を該２つの情報ウインドウ１、２を並べて表示した状態Ｄ０２から、表示画面１１を左に傾けたＤ０２Ｂときと右に傾けたＤ０２Ｃときとで、選択Ｄ０１Ｓする情報ウインドウを第１の情報ウインドウ１とするか第２の情報ウインドウ２とするかを情報ウインドウ表示基準Ｄ０１ＳＳ（図５参照）により予め定めておく。
【００１１】
このように構成することにより、該携帯情報端末は、該携帯情報端末の操作者が該携帯情報端末を左に傾けたときと右に傾けたときで、それぞれの操作に関連付けられた該情報ウインドウ表示基準で定める所定の情報ウインドウを選択して第１の表示モードにより拡大して表示することができる。このため、該携帯情報端末の操作者は、該携帯情報端末を左または右のいずれか一方に傾けることにより、該第１または第２の情報ウインドウを随意に指定して拡大表示することができる。
【００１２】
また、本発明の第３の態様に係る携帯情報端末１０は、本発明の第１の態様に係る携帯情報端末１０において、例えば図３に示すように、第１の情報ウインドウ１および第２の情報ウインドウ２の一方を選択Ｄ０１Ｓ（図５参照）して大きく表示Ｄ０１するとき、表示画面１１を該２つの情報ウインドウ１、２を並べて表示した状態Ｄ０２から、左と右のいずれかに傾けるＤ０２Ｄ毎に、選択Ｄ０１Ｓする情報ウインドウを第１の情報ウインドウ１と第２の情報ウインドウ２とで切り替えるように情報ウインドウ表示基準Ｄ０１ＳＳ（図５参照）により予め定めておく。
【００１３】
このように構成することにより、該携帯情報端末は、該携帯情報端末の操作者が該携帯情報端末を左または右に傾ける度に、該情報ウインドウ表示基準に従って該第１および第２の情報ウインドウを交互に選択して第１の表示モードにより拡大して表示することができる。このため、該携帯情報端末の操作者は、該携帯情報端末を左または右のいずれか一方に傾けることにより、該第１または第２の情報ウインドウを交互に指定して拡大表示することができる。
【００１４】
また、本発明の第４の態様に係る携帯情報端末１０は、本発明の第１乃至第３の態様のいずれか一の態様に係る携帯情報端末１０において、例えば図４に示すように、加速度センサ１２（図１参照）が情報ウインドウ表示基準Ｄ０１ＳＳ（図５参照）に定める所定の加速度１００ｃを検出Ｓ０１Ａしたときに、第１の情報ウインドウ１および第２の情報ウインドウ２とは異なる情報を表示する第３の情報ウインドウ３および第４の情報ウインドウ４を第１の情報ウインドウ１および第２の情報ウインドウ２と入れ替えるように構成される。
【００１５】
このように構成することにより、該携帯情報端末は、該情報ウインドウ表示基準に定める所定の加速度を検出した際に、該第１および第２の情報ウインドウと該第３および第４の情報ウインドウとを入れ替えて第１または第２の表示モードにより表示することができる。このため、該携帯情報端末の操作者は、３以上の多数の情報ウインドウを随意に入れ替えて、該第１または第２の表示モードにより情報を表示して、該多数の情報ウインドウを順次参照することができる。
【００１６】
また、本発明の第５の態様に係る携帯情報端末１０は、例えば図１に示すように、操作者に情報を表示する長方形の表示画面１１と；表示画面１１の法線の周りの回転２００（図２参照）を検出するジャイロセンサ１３と；長方形の表示画面１１に長方形の第１の情報ウインドウ１（図２参照）および長方形の第２の情報ウインドウ２（図２参照）を描画する描画部１４と；情報ウインドウ１、２の表示並びに切り替えについて定める情報ウインドウ表示基準Ｄ０１ＳＳ（図６参照）を記録保存する記録保存部２１とを備え；描画部１４は、第１の情報ウインドウ１と第２の情報ウインドウ２との一方が表示画面１１に表示Ｄ０１（図２参照）されているとき、検出された回転２００が情報ウインドウ表示基準Ｄ０１ＳＳで定める所定の値を越えたＤ０１Ｒ（図２参照）ときに、第１の情報ウインドウ１および第２の情報ウインドウ２を第１の情報ウインドウ長辺方向１ａ（図２参照）と第２の情報ウインドウ長辺方向２ａ（図２参照）とが表示画面長辺方向１１ａ（図２参照）と直交するように表示画面長辺方向１１ａに並べて表示Ｄ０２（図２参照）するように構成され；描画部１４は、第１の情報ウインドウ１と第２の情報ウインドウ２とが並べて表示Ｄ０２されているとき、該検出された回転２００が情報ウインドウ表示基準Ｄ０１ＳＳで定める所定の値を越えたＤ０２Ｒ（図２参照）ときに、第１の情報ウインドウ１および第２の情報ウインドウ２の一方を情報ウインドウ表示基準Ｄ０１ＳＳに従って選択Ｄ０１Ｓ（図６参照）し選択Ｄ０１Ｓされた情報ウインドウの情報ウインドウ長辺方向と表示画面長辺方向１１ａとが同じ方向となるように選択Ｄ０１Ｓされた情報ウインドウを、表示画面長辺方向１１ａに並べて表示Ｄ０２していたときよりも大きく表示画面１１に表示Ｄ０１するように構成される。
【００１７】
このように構成することにより、該携帯情報端末は、該携帯情報端末の操作者が該携帯情報端末を該情報ウインドウ表示基準で定める第一の所定の角度まで回転させる所定の操作を該ジャイロセンサにより検出することができる。また、該操作者がおこなう該所定の操作により該第一の所定の角度まで回転された該携帯情報端末は、該情報ウインドウ表示基準に従って該第１および第２の情報ウインドウのいずれか一方の情報ウインドウを選択すると共に該選択した情報ウインドウを第１の表示モードにより該表示画面に拡大して表示することができる。一方、該携帯情報端末は、該携帯情報端末の操作者が該携帯情報端末を該情報ウインドウ表示基準で定める第二の所定の角度まで回転させる所定の操作を該ジャイロセンサで検出することができる。また、該操作者がおこなう所定の操作により該第二の所定の角度まで回転された携帯情報端末は、該情報ウインドウ表示基準に従って該第１および第２の情報ウインドウを第２の表示モードにより該表示画面に並べて表示することができる。また、該情報ウインドウは該横長にも該縦長にも設けることができる。
【００１８】
このため、該携帯情報端末の操作者は、該第１の表示モードにおいて該表示画面に拡大して表示される、該携帯情報端末が該情報ウインドウ表示基準に従って選択する情報ウインドウを詳細に参照することにより該情報ウインドウに表示された情報を詳細に把握することができる。また、該携帯情報端末の操作者は、該第２の表示モードにおいて該表示画面に並べて表示される該第１および第２の情報ウインドウを同時に参照することにより、該第１および第２の情報ウインドウに表示される情報を統合して、あるいは相互に比較して、該第１および第２の情報ウインドウに表示された情報を総合的に把握することができる。このようにして、該携帯情報端末の操作者は、簡易な操作により該第１および第２の表示モードを随意に切り替えて、効率良くかつ詳細に情報を参照することができる。
【００１９】
また、本発明の第６の態様に係る携帯情報端末１０は、本発明の第１乃至第４の態様のいずれか一の態様に係る携帯情報端末１０において、例えば図１に示すように、表示画面１１の法線の周りの回転２００（図２参照）を検出するジャイロセンサ１３を備え；描画部１４は、該検出された重力加速度１００（図２参照）の表示画面長辺方向成分１００ａ（図２参照）と表示画面短辺方向成分１００ｂ（図２参照）との差異を検出できないＳ０１Ｂ（図５参照）ときであって、第１の情報ウインドウ１（図２参照）と第２の情報ウインドウ２（図２参照）との一方が表示画面１１に表示Ｄ０１（図２参照）されているとき、該検出された回転２００が情報ウインドウ表示基準Ｄ０１ＳＳ（図６参照）で定める所定の値を越えたＤ０１Ｒ（図２参照）ときに、第１の情報ウインドウ１および第２の情報ウインドウ２を第１の情報ウインドウ長辺方向１ａ（図２参照）と第２の情報ウインドウ長辺方向２ａ（図２参照）とが表示画面長辺方向１１ａ（図２参照）と直交するように表示画面長辺方向１１ａに並べて表示Ｄ０２（図２参照）するように構成され；描画部１４は、該検出された重力加速度１００の表示画面長辺方向成分１００ａと表示画面短辺方向成分１００ｂとの差異を検出できないＳ０１Ｂときであって、第１の情報ウインドウ１と第２の情報ウインドウ２とが並べて表示Ｄ０２されているとき、該検出された回転２００が情報ウインドウ表示基準Ｄ０１ＳＳで定める所定の値を越えたＤ０２Ｒ（図２参照）ときに、第１の情報ウインドウ１および第２の情報ウインドウ２の一方を情報ウインドウ表示基準Ｄ０１ＳＳに従って選択Ｄ０１Ｓ（図６参照）し選択Ｄ０１Ｓされた情報ウインドウの情報ウインドウ長辺方向と表示画面長辺方向１１ａとが同じ方向となるように選択Ｄ０１Ｓされた情報ウインドウを、表示画面長辺方向１１ａに並べて表示Ｄ０２していたときよりも大きく表示画面１１に表示Ｄ０１するように構成される。
【００２０】
このように構成することにより、該携帯情報端末は、該表示画面を水平にして該携帯情報端末が置かれたために加速度センサにより該重力加速度の分力成分の差異を検出できない場合にも、該ジャイロセンサにより該携帯情報端末の回転を検出して表示モードを切り替えることができる。このため、該携帯情報端末の操作者は、該加速度センサおよびジャイロセンサの双方で該携帯情報端末の回転を検出することにより、確実に第１および第２の表示モードを切り替えて情報を表示して参照することができる。
【００２１】
また、本発明の第７の態様に係る携帯情報端末１０は、本発明の第５または第６の態様に係る携帯情報端末１０において、例えば図２に示すように、センサ１２、１３（図１参照）の検出結果に基づいて、表示画面１１を縦長に用いるＣ０１／Ｄ０２、Ｃ０２／Ｄ０１場合には表示画面１１の２つの短辺１１ｂの一方を下辺と定め、あるいは表示画面１１を横長に用いるＣ０１／Ｄ０１、Ｃ０２／Ｄ０２場合には表示画面１１の２つの長辺１１ａの一方を下辺と定め、第１の情報ウインドウ１と第２の情報ウインドウ２との一方を選択Ｄ０１Ｓ（図５参照）して大きく表示Ｄ０１するとき、および両方の情報ウインドウ１、２を並べて表示Ｄ０２するとき、いずれも情報ウインドウ１、２の下方向を表示画面１１の該下辺に向けて表示する。
【００２２】
このように構成することにより、該携帯情報端末は、該加速度センサおよび／またはジャイロセンサによる検出結果に基づいて、該携帯情報端末の操作者によって該表示画面が縦長に用いられる場合には該表示画面の２つの短辺の一方を下辺と定め、あるいは該表示画面が横長に用いられる場合には該表示画面の２つの長辺の一方を下辺と定めることができる。また、該定めた表示画面の下辺と該情報ウインドウの下方向とを合わせて表示することができる。このため、該携帯情報端末の操作者は、常に該情報ウインドウの上下方向が正しく表示された状態で情報を参照することができる。
【００２３】
また、本発明の第８の態様に係る携帯情報端末１０は、本発明の第１乃至第７の態様のいずれか一の態様に係る携帯情報端末１０において、例えば、図８に示すように、第１の情報ウインドウ１および第２の情報ウインドウ２の一方を選択Ｄ０１Ｓ（図５および図６参照）して表示画面１１に表示Ｄ０１するときに、他方の情報ウインドウを表示画面１１に縮小表示１ｗ、２ｗにより表示するように構成される。
【００２４】
このように構成することにより、該携帯情報端末は、該一方の情報ウインドウを選択して第１の表示モードにより拡大して表示するときにも、該他方の情報ウインドウを該縮小表示により表示することができる。このため、該携帯情報端末の操作者は、該一方の情報ウインドウを該拡大表示すると共に該他方の情報ウインドウを該縮小表示することで、該第１および第２の情報ウインドウの情報の両方を常に参照して情報を閲覧することができる。
【００２５】
また、本発明の第９の態様に係る携帯情報端末１０を制御するためのプログラムは、例えば図５に示すように、携帯情報端末１０（図２参照）にインストールして携帯情報端末１０に次のステップをおこなわせるためのプログラムであって；加速度センサ１２（図１参照）に重力加速度１００（図２参照）を検出させるステップＳ０１と；長方形の表示画面１１（図２参照）に長方形の第１の情報ウインドウ１（図２参照）および長方形の第２の情報ウインドウ２（図２参照）を描画させるステップＳ０２とを備え；第１および第２の情報ウインドウ１、２を描画させるステップＳ０２は、第１の情報ウインドウ１または第２の情報ウインドウ２のいずれか一方を表示画面１１に表示Ｄ０１させているとき、該検出させた重力加速度１００の表示画面長辺方向成分１００ａ（図２参照）の表示画面短辺方向成分１００ｂ（図２参照）に対する割合が情報ウインドウ１、２の表示並びに切り替えについて定める情報ウインドウ表示基準Ｄ０１ＳＳで定める第一の所定の割合に至ったＤ０１Ａときに、第１の情報ウインドウ１および第２の情報ウインドウ２を第１の情報ウインドウ長辺方向１ａ（図２参照）と第２の情報ウインドウ長辺方向２ａ（図２参照）とが表示画面長辺方向１１ａ（図２参照）と直交するように表示画面長辺方向１１ａに並べて表示Ｄ０２させるように構成され；第１および第２の情報ウインドウ１、２を描画させるステップＳ０２は、第１の情報ウインドウ１と第２の情報ウインドウ２とを並べて表示Ｄ０２させているとき、該検出させた重力加速度１００の表示画面長辺方向成分１００ａの表示画面短辺方向成分１００ｂに対する割合が情報ウインドウ表示基準Ｄ０１ＳＳで定める第二の所定の割合に至ったＤ０２Ａときに、第１の情報ウインドウ１および第２の情報ウインドウ２の一方を情報ウインドウ表示基準Ｄ０１ＳＳに従って選択Ｄ０１Ｓし選択Ｄ０１Ｓされた情報ウインドウの情報ウインドウ長辺方向と表示画面長辺方向１１ａとが同じ方向となるように選択Ｄ０１Ｓされた情報ウインドウを、表示画面長辺方向１１ａに並べて表示Ｄ０２させていたときよりも大きく表示画面１１に表示Ｄ０１させるように構成され；第１の情報ウインドウ１と第２の情報ウインドウ２とが横長Ｃ０１（図２（ａ）参照）で、両情報ウインドウ１、２を表示画面長辺方向１１ａに並べて表示Ｄ０２させるとき、第１の情報ウインドウ１および第２の情報ウインドウ２の下方向が重力加速度１００の表示画面長辺方向成分１００ａの向きとなるように表示させ、第１の情報ウインドウ１および第２の情報ウインドウ２の一方を選択Ｄ０１Ｓして大きく表示Ｄ０１させるとき、選択Ｄ０１Ｓされた情報ウインドウの下方向が重力加速度１００の表示画面短辺方向成分１００ｂの向きとなるように表示させるように構成され；第１の情報ウインドウ１と第２の情報ウインドウ２とが縦長Ｃ０２（図２（ｂ）参照）で、両情報ウインドウ１、２を表示画面長辺方向１１ａに並べて表示Ｄ０２させるとき、第１の情報ウインドウ１および第２の情報ウインドウ２の下方向が重力加速度１００の表示画面短辺方向成分１００ｂの向きとなるように表示させ、第１の情報ウインドウ１および第２の情報ウインドウ２の一方を選択Ｄ０１Ｓして大きく表示Ｄ０１させるとき、選択Ｄ０１Ｓされた情報ウインドウの下方向が重力加速度１００の表示画面長辺方向成分１００ａの向きとなるように表示させるように構成される。
【００２６】
このように構成することにより、該携帯情報端末を制御するためのプログラムは、該携帯情報端末の操作者が該携帯情報端末を該情報ウインドウ表示基準で定める第一の所定の角度まで傾ける所定の操作を該加速度センサに検出させることができる。また、該操作者がおこなう該所定の操作により該第一の所定の角度まで傾けられた該携帯情報端末にインストールされた該携帯情報端末を制御するためのプログラムは、該情報ウインドウ表示基準に従って該第１および第２の情報ウインドウのいずれか一方の情報ウインドウを選択すると共に該選択した情報ウインドウを第１の表示モードにより該表示画面に拡大して表示させることができる。一方、該携帯情報端末を制御するためのプログラムは、該携帯情報端末の操作者が該携帯情報端末を該情報ウインドウ表示基準で定める第二の所定の角度まで傾ける所定の操作を該加速度センサに検出させることができる。また、該操作者がおこなう所定の操作により該第二の所定の角度まで傾けられた携帯情報端末にインストールされた該携帯情報端末を制御するためのプログラムは、該情報ウインドウ表示基準に従って該第１および第２の情報ウインドウを第２の表示モードにより該表示画面に並べて表示させることができる。また、該情報ウインドウを該横長にも該縦長にも表示させることができる。
【００２７】
このため、該携帯情報端末の操作者は、該第１の表示モードにおいて該表示画面に拡大して表示される、該携帯情報端末を制御するプログラムが該情報ウインドウ表示基準に従って選択する情報ウインドウを詳細に参照することにより該情報ウインドウに表示された情報を詳細に把握することができる。また、該携帯情報端末の操作者は、該第２の表示モードにおいて該表示画面に並べて表示される該第１および第２の情報ウインドウを同時に参照することにより、該第１および第２の情報ウインドウに表示される情報を統合して、あるいは相互に比較して、該第１および第２の情報ウインドウに表示された情報を総合的に把握することができる。このようにして、該携帯情報端末の操作者は、簡易な操作により該第１および第２の表示モードを随意に切り替えて、効率良くかつ詳細に情報を参照することができる。
【００２８】
また、本発明の第１０の態様に係る携帯情報端末１０を制御するためのプログラムは、本発明の第９の態様に係るプログラムにおいて、例えば図５に示すように、第１および第２の情報ウインドウ１、２を描画させるステップＳ０２は、第１の情報ウインドウ１および第２の情報ウインドウ２の一方を選択Ｄ０１Ｓして大きく表示Ｄ０１させるとき、表示画面１１（図２参照）に該２つの情報ウインドウ１、２を並べて表示させた状態Ｄ０２から、表示画面１１が左に傾けられたＤ０２Ｂときと右に傾けられたＤ０２Ｃときとで、選択Ｄ０１Ｓする情報ウインドウを第１の情報ウインドウ１とするか第２の情報ウインドウ２とするかを情報ウインドウ表示基準Ｄ０１ＳＳにより予め定めておく（Ｍ０１）。
【００２９】
このように構成することにより、該携帯情報端末を制御するためのプログラムは、該携帯情報端末の操作者が該携帯情報端末を左に傾けたときと右に傾けたときで、それぞれの操作に関連付けられた該情報ウインドウ表示基準で定める所定の情報ウインドウを選択して第１の表示モードにより拡大して該表示画面に表示させることができる。このため、該携帯情報端末の操作者は、該携帯情報端末を左または右のいずれか一方に傾けることにより、該第１または第２の情報ウインドウを随意に指定して拡大表示することができる。
【００３０】
また、本発明の第１１の態様に係る携帯情報端末１０を制御するためのプログラムは、本発明の第９の態様に係るプログラムにおいて、例えば図５に示すように、第１および第２の情報ウインドウを描画させるステップＳ０２は、第１の情報ウインドウ１および第２の情報ウインドウ２の一方を選択Ｄ０１Ｓして大きく表示Ｄ０１させるとき、表示画面１１（図２参照）に該２つの情報ウインドウ１、２を並べて表示させた状態Ｄ０２から、表示画面１１が左と右のいずれかに傾けられるＤ０２Ｄ毎に、選択Ｄ０１Ｓする情報ウインドウを第１の情報ウインドウ１と第２の情報ウインドウ２とで切り替えるように情報ウインドウ表示基準Ｄ０１ＳＳにより予め定めておく（Ｍ０２）。
【００３１】
このように構成することにより、該携帯情報端末を制御するためのプログラムは、該携帯情報端末の操作者が該携帯情報端末を左または右に傾ける度に、該情報ウインドウ表示基準に従って該第１および第２の情報ウインドウを交互に選択して第１の表示モードにより拡大して該表示画面に表示させることができる。このため、該携帯情報端末の操作者は、該携帯情報端末を左または右のいずれか一方に傾けることにより、該第１または第２の情報ウインドウを交互に指定して拡大表示することができる。
【００３２】
また、本発明の第１２の態様に係る携帯情報端末１０を制御するためのプログラムは、本発明の第９乃至第１１の態様のいずれか一の態様に係るプログラムにおいて、例えば図５に示すように、加速度１００（図４参照）を検出させるステップＳ０１において、情報ウインドウ表示基準Ｄ０１ＳＳに定める所定の加速度１００ｃ（図４参照）が検出されたときＳ０１Ａに、第１の情報ウインドウ１（図４参照）および第２の情報ウインドウ２（図４参照）とは異なる情報を表示する第３の情報ウインドウ３（図４参照）および第４の情報ウインドウ４（図４参照）と第１の情報ウインドウ１および第２の情報ウインドウ２とを入れ替えるステップＳ０３を備える。
【００３３】
このように構成することにより、該携帯情報端末を制御するためのプログラムは、該情報ウインドウ表示基準に定める所定の加速度が検出された際に、該第１および第２の情報ウインドウと該第３および第４の情報ウインドウとを入れ替えて第１または第２の表示モードにより表示画面に表示させることができる。このため、該携帯情報端末の操作者は、３以上の多数の情報ウインドウを随意に入れ替えて、該第１または第２の表示モードにより情報を表示して、該多数の情報ウインドウを順次参照することができる。
【００３４】
また、本発明の第１３の態様に係る携帯情報端末１０を制御するためのプログラムは、例えば図６に示すように、携帯情報端末１０（図２参照）にインストールして携帯情報端末１０に次のステップをおこなわせるためのプログラムであって；長方形の表示画面１１（図２参照）の法線の周りの回転２００（図２参照）をジャイロセンサ１３（図１参照）に検出させるステップＳ０４と；長方形の表示画面１１に長方形の第１の情報ウインドウ１（図２参照）および長方形の第２の情報ウインドウ２（図２参照）を描画させるステップＳ０５とを備え；第１および第２の情報ウインドウ１、２を描画させるステップＳ０５は、第１の情報ウインドウ１と第２の情報ウインドウ２との一方を表示画面１１に表示Ｄ０１させているとき、該検出させた回転２００が情報ウインドウ１、２の表示並びに切り替えについて定める情報ウインドウ表示基準Ｄ０１ＳＳで定める所定の値を越えたＤ０１Ｒときに、第１の情報ウインドウ１および第２の情報ウインドウ２を第１の情報ウインドウ長辺方向１ａ（図２参照）と第２の情報ウインドウ長辺方向２ａ（図２参照）とが表示画面長辺方向１１ａ（図２参照）と直交するように表示画面長辺方向１１ａに並べて表示Ｄ０２させるように構成され；第１および第２の情報ウインドウ１、２を描画させるステップＳ０５は、第１の情報ウインドウ１と第２の情報ウインドウ２とを並べて表示Ｄ０２させているとき、該検出させた回転２００が情報ウインドウ表示基準Ｄ０１ＳＳで定める所定の値を越えたＤ０２Ｒときに、第１の情報ウインドウ１および第２の情報ウインドウ２の一方を情報ウインドウ表示基準Ｄ０１ＳＳに従って選択Ｄ０１Ｓし選択Ｄ０１Ｓされた情報ウインドウの情報ウインドウ長辺方向と表示画面長辺方向１１ａとが同じ方向となるように選択Ｄ０１Ｓされた情報ウインドウを、表示画面長辺方向１１ａに並べて表示Ｄ０２させていたときよりも大きく表示画面１１に表示Ｄ０１させるように構成される。
【００３５】
このように構成することにより、該携帯情報端末を制御するためのプログラムは、該携帯情報端末の操作者が該携帯情報端末を該情報ウインドウ表示基準で定める第一の所定の角度まで回転させる所定の操作を該ジャイロセンサに検出させることができる。また、該操作者がおこなう該所定の操作により該第一の所定の角度まで回転された該携帯情報端末にインストールされた該携帯情報端末を制御するためのプログラムは、該情報ウインドウ表示基準に従って該第１および第２の情報ウインドウのいずれか一方の情報ウインドウを選択すると共に該選択した情報ウインドウを第１の表示モードにより該表示画面に拡大して表示させることができる。一方、該携帯情報端末を制御するためのプログラムは、該携帯情報端末の操作者が該携帯情報端末を該情報ウインドウ表示基準で定める第二の所定の角度まで回転させる所定の操作を該ジャイロセンサに検出させることができる。また、該操作者がおこなう所定の操作により該第二の所定の角度まで回転された携帯情報端末にインストールされた該携帯情報端末を制御するためのプログラムは、該情報ウインドウ表示基準に従って該第１および第２の情報ウインドウを第２の表示モードにより該表示画面に並べて表示させることができる。また、該情報ウインドウを該横長にも該縦長にも表示させることができる。
【００３６】
このため、該携帯情報端末の操作者は、該第１の表示モードにおいて該表示画面に拡大して表示される、該携帯情報端末を制御するプログラムが該情報ウインドウ表示基準に従って選択する情報ウインドウを詳細に参照することにより該情報ウインドウに表示された情報を詳細に把握することができる。また、該携帯情報端末の操作者は、該第２の表示モードにおいて該表示画面に並べて表示される該第１および第２の情報ウインドウを同時に参照することにより、該第１および第２の情報ウインドウに表示される情報を統合して、あるいは相互に比較して、該第１および第２の情報ウインドウに表示された情報を総合的に把握することができる。このようにして、該携帯情報端末の操作者は、簡易な操作により該第１および第２の表示モードを随意に切り替えて、効率良くかつ詳細に情報を参照することができる。
【００３７】
また、本発明の第１４の態様に係る携帯情報端末１０を制御するためのプログラムは、本発明の第９乃至第１２の態様のいずれか一の態様に係るプログラムにおいて、例えば図５および図６に示すように、長方形の表示画面１１（図２参照）の法線の周りの回転２００（図２参照）をジャイロセンサ１３（図１参照）に検出させるステップＳ０４を備え；第１および第２の情報ウインドウ１、２（図２参照）を描画させるステップＳ０５（図６参照）は、該検出させる重力加速度１００（図２参照）の表示画面長辺方向成分１００ａ（図２参照）と表示画面短辺方向成分１００ｂ（図２参照）との差異が検出できないＳ０１Ｂ（図５参照）ときであって、第１の情報ウインドウ１と第２の情報ウインドウ２との一方を表示画面１１に表示Ｄ０１（図６参照）させているとき、該検出させた回転２００が情報ウインドウ表示基準Ｄ０１ＳＳ（図６参照）で定める所定の値を越えたＤ０１Ｒ（図６参照）ときに、第１の情報ウインドウ１および第２の情報ウインドウ２を第１の情報ウインドウ長辺方向１ａ（図２参照）と第２の情報ウインドウ長辺方向２ａ（図２参照）とが表示画面長辺方向１１ａ（図２参照）と直交するように表示画面長辺方向１１ａに並べて表示Ｄ０２（図６参照）させるように構成され；第１および第２の情報ウインドウ１、２を描画させるステップＳ０５は、該検出させる重力加速度１００の表示画面長辺方向成分１００ａと表示画面短辺方向成分１００ｂとの差異が検出できないＳ０１Ｂときであって、第１の情報ウインドウ１と第２の情報ウインドウ２とを並べて表示Ｄ０２させているとき、該検出させた回転２００が情報ウインドウ表示基準Ｄ０１ＳＳで定める所定の値を越えたＤ０２Ｒ（図６参照）ときに、第１の情報ウインドウ１および第２の情報ウインドウ２の一方を情報ウインドウ表示基準Ｄ０１ＳＳに従って選択Ｄ０１Ｓ（図６参照）し選択Ｄ０１Ｓされた情報ウインドウの情報ウインドウ長辺方向と表示画面長辺方向１１ａとが同じ方向となるように選択Ｄ０１Ｓされた情報ウインドウを、表示画面長辺方向１１ａに並べて表示Ｄ０２させていたときよりも大きく表示画面１１に表示Ｄ０１させるように構成される。
【００３８】
このように構成することにより、該携帯情報端末を制御するためのプログラムは、該表示画面を水平にして該携帯情報端末が置かれたために加速度センサにより該重力加速度の分力成分の差異を検出できない場合にも、該ジャイロセンサに該携帯情報端末の回転を検出させて表示モードを切り替えることができる。このため、該携帯情報端末の操作者は、該加速度センサおよびジャイロセンサの双方で該携帯情報端末の回転を検出することにより、確実に第１および第２の表示モードを切り替えて情報を表示して参照することができる。
【００３９】
また、本発明の第１５の態様に係る携帯情報端末１０を制御するためのプログラムは、本発明の第１３または第１４の態様に係るプログラムにおいて、例えば図５および図６に示すように、第１および第２の情報ウインドウ１、２を描画させるステップＳ０２（図５参照）、Ｓ０５（図６参照）は、センサ１２、１３（図１参照）の検出結果に基づいて、表示画面１１（図２参照）が縦長に用いられるＣ０１／Ｄ０２、Ｃ０２／Ｄ０１場合には表示画面１１の２つの短辺１１ｂ（図２参照）の一方を下辺と定め、あるいは表示画面１１が横長に用いられるＣ０１／Ｄ０１、Ｃ０２／Ｄ０２場合には表示画面１１の２つの長辺１１ａ（図２参照）の一方を下辺と定め、第１の情報ウインドウ１と第２の情報ウインドウ２との一方を選択Ｄ０１Ｓして大きく表示Ｄ０１させるとき、および両方の情報ウインドウ１、２を並べて表示Ｄ０２させるとき、いずれも情報ウインドウ１、２の下方向を表示画面１１の該下辺に向けて表示Ｄ０１Ｖ、Ｄ０２Ｖさせる。
【００４０】
このように構成することにより、該携帯情報端末を制御するためのプログラムは、該加速度センサおよび／またはジャイロセンサに検出させた検出結果に基づいて、該携帯情報端末の操作者によって該表示画面が縦長に用いられる場合には該表示画面の２つの短辺の一方を下辺と定め、あるいは該表示画面が横長に用いられる場合には該表示画面の２つの長辺の一方を下辺と定めることができる。また、該定めた表示画面の下辺と該情報ウインドウの下方向とを合わせて表示させることができる。このため、該携帯情報端末の操作者は、常に該情報ウインドウの上下方向が正しく表示された状態で情報を参照することができる。
【００４１】
また、本発明の第１６の態様に係る携帯情報端末１０を制御するためのプログラムは、本発明の第９乃至第１５の態様のいずれか一の態様に係るプログラムにおいて、例えば、図８に示すように、第１および第２の情報ウインドウ１、２を描画させるステップＳ０２（図５参照）、Ｓ０５（図６参照）は、第１の情報ウインドウ１および第２の情報ウインドウ２の一方を選択Ｄ０１Ｓ（図５および図６参照）して表示画面１１に表示Ｄ０１させるときに、他方の情報ウインドウを表示画面１１に縮小表示１ｗ、２ｗにより表示させるように構成される。
【００４２】
このように構成することにより、該携帯情報端末を制御するためのプログラムは、該一方の情報ウインドウを選択して第１の表示モードにより拡大して表示させるときにも、該他方の情報ウインドウを該縮小表示により表示させることができる。このため、該携帯情報端末の操作者は、該一方の情報ウインドウを該拡大表示すると共に該他方の情報ウインドウを該縮小表示することで、該第１および第２の情報ウインドウの情報の両方を常に参照して情報を閲覧することができる。
【００４３】
また、本発明の第１７の態様に係る携帯情報端末１０を用いて遠隔教育をおこなう方法は、例えば図５および図７に示すように、携帯情報端末１０（図７参照）を用いて携帯情報端末１０を操作する遠隔教育の受講者に遠隔教育をおこなう方法であって；加速度センサ１２（図１参照）に重力加速度１００（図２参照）を検出させるステップＳ０１（図５参照）と；長方形の表示画面１１（図７参照）に長方形の第１の情報ウインドウ１（図７参照）および長方形の第２の情報ウインドウ２（図７参照）を描画させるステップＳ０２（図５参照）とを備え；第１および第２の情報ウインドウ１、２を描画させるステップＳ０２は、第１の情報ウインドウ１または第２の情報ウインドウ２のいずれか一方を表示画面１１に表示Ｄ０１（図７参照）させているとき、該検出させた重力加速度１００の表示画面長辺方向成分１００ａ（図２参照）の表示画面短辺方向成分１００ｂ（図２参照）に対する割合が情報ウインドウ１、２の表示並びに切り替えについて定める情報ウインドウ表示基準Ｄ０１ＳＳ（図５参照）で定める第一の所定の割合に至ったＤ０１Ａ（図５参照）ときに、第１の情報ウインドウ１および第２の情報ウインドウ２を第１の情報ウインドウ長辺方向１ａ（図２参照）と第２の情報ウインドウ長辺方向２ａ（図２参照）とが表示画面長辺方向１１ａ（図２参照）と直交するように表示画面長辺方向１１ａに表示画面長辺方向１１ａに並べて表示Ｄ０２（図７参照）させるように構成され；第１および第２の情報ウインドウを描画させるステップＳ０２は、第１の情報ウインドウ１と第２の情報ウインドウ２とを並べて表示Ｄ０２させているとき、該検出させた重力加速度１００の表示画面長辺方向成分１００ａの表示画面短辺方向成分１００ｂに対する割合が情報ウインドウ表示基準Ｄ０１ＳＳで定める第二の所定の割合に至ったＤ０２Ａ（図５参照）ときに、第１の情報ウインドウ１および第２の情報ウインドウ２の一方を情報ウインドウ表示基準Ｄ０１ＳＳに従って選択Ｄ０１Ｓ（図５参照）し選択Ｄ０１Ｓされた情報ウインドウの情報ウインドウ長辺方向と表示画面長辺方向１１ａとが同じ方向となるように選択Ｄ０１Ｓされた情報ウインドウを、表示画面長辺方向１１ａに並べて表示Ｄ０２させていたときよりも大きく表示画面１１に表示Ｄ０１させるように構成され；第１の情報ウインドウ１と第２の情報ウインドウ２とが横長Ｃ０１（図２（ａ）参照）で、両情報ウインドウ１、２を表示画面長辺方向１１ａに並べて表示Ｄ０２させるとき、第１の情報ウインドウ１および第２の情報ウインドウ２の下方向が重力加速度１００の表示画面長辺方向成分１００ａの向きとなるように表示させ、第１の情報ウインドウ１および第２の情報ウインドウ２の一方を選択Ｄ０１Ｓして大きく表示Ｄ０１させるとき、選択Ｄ０１Ｓされた情報ウインドウの下方向が重力加速度１００の表示画面短辺方向成分１００ｂの向きとなるように表示させるように構成され；第１の情報ウインドウ１と第２の情報ウインドウ２とが縦長Ｃ０２（図２（ｂ）参照）で、両情報ウインドウ１、２を表示画面長辺方向１１ａに並べて表示Ｄ０２させるとき、第１の情報ウインドウ１および第２の情報ウインドウ２の下方向が重力加速度１００の表示画面短辺方向成分１００ｂの向きとなるように表示させ、第１の情報ウインドウ１および第２の情報ウインドウ２の一方を選択Ｄ０１Ｓして大きく表示Ｄ０１させるとき、選択Ｄ０１Ｓされた情報ウインドウの下方向が重力加速度１００の表示画面長辺方向成分１００ａの向きとなるように表示させるように構成され；第１の情報ウインドウ１には第１の情報３００（図７参照）が表示され；第２の情報ウインドウ２には第１の情報３００を補完する第２の情報４００（図７参照）が表示される。
【００４４】
このように構成することにより、該遠隔教育の受講者は該携帯情報端末の第１の情報ウインドウに表示される該第１の情報である該遠隔教育をおこなう講師の映像を視聴することにより、該遠隔教育をおこなう講師の表情、身振り、手振り等を把握して総合的に学習をおこなうことができる。また、該遠隔教育の受講者は、該携帯情報端末の第２の情報ウインドウに表示される該第１の情報を補完する第２の情報である、該遠隔教育内容の要点を要約してまとめた、あるいは詳細な補足説明のための文章、図表を含む関連参考情報により構成された、要約／補足（文書）情報であるレジュメを把握して効率良く学習をおこなうことができる。このため、該遠隔教育をおこなう方法は総合的かつ効率的な優れた遠隔教育を実現することができる。
【発明の効果】
【００４５】
本発明によれば、操作者が簡易な操作により画面の表示モードを切り替えて効率良くかつ詳細に情報を参照することができる携帯情報端末、携帯情報端末を制御するためのプログラムおよび遠隔教育方法を提供することができる。
【図面の簡単な説明】
【００４６】
【図１】図１は、本発明の実施の形態に係る携帯情報端末１０の構成を示すブロック図である。
【図２】図２は、本発明の実施の形態に係る携帯情報端末１０の画面の表示および切り替えを説明する説明図である。
【図３】図３は、本発明の第１の実施の形態に係る携帯情報端末１０の画面の表示および切り替えを説明する説明図である。
【図４】図４は、本発明の実施の形態に係る携帯情報端末１０の画面の表示および入れ替えを説明する説明図である。
【図５】図５は、本発明の実施の形態に係る携帯情報端末１０を制御するためのプログラムがおこなう実行処理を示すフローチャートである。
【図６】図６は、本発明の実施の形態に係る携帯情報端末１０を制御するためのプログラムがおこなう実行処理を示すフローチャートである。
【図７】図７は、本発明の実施の形態に係る携帯情報端末１０を用いて遠隔教育をおこなう方法を示す説明図である。
【図８】図８は、本発明の実施の形態に係る携帯情報端末１０を用いて遠隔教育をおこなう方法を示す説明図である。
【発明を実施するための形態】
【００４７】
以下、図面を参照して本発明の実施の形態について説明する。なお、各図において互いに同一又は相当する部材には同一あるいは類似の符号を付し、重複した説明は省略する。
【００４８】
図１のブロック図を参照して本発明の実施の形態に係る携帯情報端末１０の構成を説明する。本実施の形態の携帯情報端末１０は遠隔教育の受講者が遠隔教育番組を視聴するために用いる携帯情報端末１０として設けられているが、携帯情報端末１０は、より一般的に、操作者がインターネット等の情報通信回線網を介して情報通信をおこなうことにより任意の情報を閲覧するために用いることができる。本実施の形態の携帯情報端末１０は小型軽量のスマートフォン１０（図７および図８参照）として設けられているが、携帯情報端末１０は携帯電話、ＰＤＡ（Ｐｅｒｓｏｎａｌ  Ｄｉｇｉｔａｌ  Ａｓｓｉｓｔａｎｔ）、タブレットＰＣ、ネットブック、ＭＩＤ（Ｍｏｂｉｌｅ Ｉｎｔｅｒｎｅｔ Ｄｅｖｉｃｅｓ）、ノートパソコン等の多様なモバイル情報通信端末として設けられてもよい。あるいは、携帯情報端末１０は、携帯ゲーム機、ＰＮＤ（ＰｏｒｔａｂｌｅＮａｖｉｇａｔｉｏｎ Ｄｅｖｉｃｅ）、携帯型ＴＶ等の任意の携帯情報端末として設けてもよい。
【００４９】
本実施の形態の携帯情報端末１０が備える表示画面１１について説明する。表示画面１１は、遠隔教育の受講者がおこなう操作に従って複数の情報ウインドウ１、２（図２参照）を表示画面１１に表示して受講者に遠隔教育番組の情報を提示する表示装置（ディスプレイ）である。具体的には、表示画面１１は、液晶表示画面１１（図２参照）として設けられることにより軽量に設けられていると共に、視認性の高い映像の表示をおこなうことができる。しかしながら一の実施の形態では、表示画面１１は有機エレクトロルミネッセンス表示画面（不図示）により設けられるものとして液晶表示画面１１では必要なバックライトを廃止してさらなる軽量化をおこなうものとしてもよい。あるいは他の実施の形態では、表示画面１１はプラズマ表示画面（不図示）により設けられるものとしてさらに視認性を高めるものとしてもよい。
【００５０】
本実施の形態の携帯情報端末１０は、音声伝達装置（不図示）を備えるものとするとよい。本実施の形態の携帯情報端末１０は、遠隔教育番組の音声を受講者に提示するために空気伝導スピーカ（不図示）を備える。このため、遠隔教育の受講者は、例えばイヤフォンに内蔵された空気伝導スピーカにより遠隔教育番組の音声を聴くことができる。しかしながら一の実施の形態では、携帯情報端末１０は、骨伝導スピーカ（不図示）を備えるものとして受講者が遠隔教育番組を視聴する際にも周囲の音を聞くことができるように設けるものとしてもよい。
【００５１】
本実施の形態の携帯情報端末１０が備える表示画面１１は、遠隔教育の受講者がタッチ入力をおこなうことができるように設けるものとするとよい。本実施の形態の携帯情報端末１０が備える表示画面１１は、液晶表示画面１１（図２参照）に透明電極により設けられたマトリクス・スイッチが重ねられた投影型静電容量方式のタッチスクリーン（タッチパネル）装置として設けるものとするとよい。このように設けることにより、遠隔教育の受講者は液晶表示画面１１にタッチして携帯情報端末１０に指示を与えることで、随意に情報閲覧（ブラウジング）をおこなうことができる。また、このように設けることにより、携帯情報端末１０をさらに軽量に設けることができる。
【００５２】
本実施の形態の携帯情報端末１０が備える表示画面１１を投影型静電容量方式のタッチスクリーン装置として設けることにより、多数の導通点を同時に検出することができるマルチ・タッチ検出をおこなうことができる。このため、遠隔教育の受講者は複数本の指で同時に液晶表示画面１１（図２参照）にタッチして、タップ操作、フリック（スワイプ）操作、ドラッグ操作およびピンチ操作等をおこなうことで、情報閲覧（ブラウジング）操作をより容易におこなうことができる。具体的には、例えば、遠隔教育の受講者は、液晶表示画面１１に表示された表示画面上の任意の１点を中心点として部分拡大表示をおこないたい場合に、部分拡大表示の中心点に２本の指でタッチすると共にピンチオープン操作をおこなうことにより容易に任意の拡大中心点を中心とした部分拡大表示を随意におこなうことができる。
【００５３】
しかしながら一の実施の形態では、表示画面１１は、より簡易に表面型静電容量方式によるタッチスクリーンとして設けるものとしてもよい。また他の実施の形態では、さらに簡易に抵抗膜方式によるタッチスクリーンとして設けるものとしてもよい。これらタッチスクリーン装置が簡易に設けられた実施の形態では、マルチ・タッチ検出をおこなうことはできないが、遠隔教育の受講者は、順次連続して一連のタッチ操作をおこなうことで、マルチ・タッチ操作に相当する入力操作をおこなうことができる。例えば、遠隔教育の受講者は、液晶表示画面１１（図２参照）に表示される「部分拡大表示アイコン」（不図示）に最初にタッチした後に、続けて任意の拡大中心点をタッチして指定し、さらに続けて任意の拡大倍率をドラッグ操作により入力することで部分拡大表示操作を随意におこなうことができる。
【００５４】
本実施の形態の携帯情報端末１０が備える情報通信装置について説明する。本実施の形態の携帯情報端末１０は、情報通信をおこなうことによりインターネット等の情報通信回線網（不図示）を通じて送信可能化された遠隔教育番組を表示画面１１に表示するための情報通信装置である情報通信部１５を備える。情報通信部１５は、典型的にはブロードバンド・ルータにより構成するとよい。本実施の形態の情報通信部１５は、無線により情報通信をおこなうように設けられている。このため、遠隔教育の受講者は、情報通信端末１０に情報通信をおこなうための情報通信ケーブルを接続する必要が無く、場所を選ばず、より容易に遠隔教育番組を視聴することができる。しかしながら一の実施の形態では、情報通信部１５は有線により情報通信をおこなうように設けるものとしてもよい。本発明の携帯情報端末１０は、遠隔教育の受講者が手で把持して回転操作をおこなうことができればよいから、無線による接続の他、有線による接続をおこなうものとしてもよい。このように設けることにより、遠隔教育の受講者は、無線通信をおこなう電波環境に影響されることなく、安定して遠隔教育番組を視聴することができる。
【００５５】
本実施の形態の携帯情報端末１０が備える放送受信装置（チューナ）について説明する。本実施の形態の携帯情報端末１０は、放送される遠隔教育番組を受信して表示画面１１に表示するために、チューナ（不図示）をさらに備えるものとしてもよい。チューナを備えることにより、携帯情報端末１０は、地上波放送または衛星放送によるＴＶ（またはラジオ）放送を受信して液晶表示画面１１（図２参照）（またはスピーカ（不図示））に表示することができる。さらに本実施の形態の携帯情報端末１０は、チューナにより有線放送を受信することができるように設けるものとしてもよい。このように設けることにより、携帯情報端末１０が備えるチューナに有線放送ケーブルを接続することで、有線放送を受信して液晶表示画面１１に表示することができる。このように、携帯情報端末１０がチューナを備えることにより、遠隔教育の受講者は放送される遠隔教育番組を受信して視聴することができる。
【００５６】
本実施の形態の携帯情報端末１０が備える再生装置（プレーヤ）について説明する。本実施の形態の携帯情報端末１０は、情報記録媒体に記録された遠隔教育番組を再生して表示画面１１に表示するために、情報記録媒体用の再生装置（プレーヤ）（不図示）をさらに備えるものとしてもよい。情報記録媒体用の再生装置を備えることにより、携帯情報端末１０は、例えば、ＤＶＤ（Ｄｉｇｉｔａｌ‐Ｖｅｒｓａｔｉｌｅ‐Ｄｉｓｃ）等の情報記録媒体に記録された遠隔教育番組を再生して表示することができる。情報記録媒体用の再生装置（プレーヤ）はあらゆる規格の情報記録媒体を再生可能に設けることができるから、遠隔教育の受講者はあらゆる規格の情報記録媒体を再生して遠隔教育番組を視聴することができる。
【００５７】
本実施の形態の携帯情報端末１０が備える情報記録保存装置について説明する。本実施の形態の携帯情報端末１０が備える記録保存部２１は、携帯情報端末１０が情報通信等を介して取得した遠隔教育番組の情報他の全ての情報を記録して保存しておくことができる情報記録保存装置である。記録保存部２１は、例えば、強誘電体メモリ等の不揮発性のＲＡＭまたは小型軽量のハードディスク等により設けるものとするとよい。遠隔教育の受講者は、記録保存部２１に保存した任意の遠隔教育番組他の情報を随時読み出して液晶表示画面１１（図２参照）に表示して視聴または閲覧をおこなうことができる。また、記録保存部２１は、本実施の形態の携帯情報端末１０が備える表示画面１１への情報ウインドウ１、２（図２参照）の表示並びに切り替えについて定める、後に詳述する情報ウインドウ表示基準Ｄ０１ＳＳ（図５参照）を記録保存しておくことができる。このため、携帯情報端末１０は記録保存部２１が記録保存する情報ウインドウ表示基準Ｄ０１ＳＳを随時読み出して参照することができる。
【００５８】
本実施の形態の携帯情報端末１０が備える加速度検出装置について説明する。本実施の形態の携帯情報端末１０が備える加速度センサ１２は、重力加速度１００（図２参照）を検出することにより遠隔教育の受講者が典型的には片手で把持して操作する携帯情報端末１０の姿勢を検知することができる加速度検出装置である。本実施の形態の携帯情報端末１０が備える加速度センサ１２は、複数の静電容量型の加速度検出回路が半導体パッケージに内蔵された静電容量型のカルテシアン座標系における３軸３自由度の加速度を検出することができる加速度センサにより設けるものとするとよい。本実施の形態の携帯情報端末１０が備える加速度センサ１２は、ＭＥＭＳ（Ｍｉｃｒｏ‐Ｅｌｅｃｔｒｏ‐Ｍｅｃｈａｎｉｃａｌ‐Ｓｙｓｔｅｍｓ）技術を用いることにより小型軽量に設けるものとするとよい。しかしながら一の実施の形態では、加速度センサ１２はＭＥＭＳ技術を用いることなく、より安価な機械式の加速度計を用いるものとしてもよい。本実施の形態の携帯情報端末１０が備える加速度センサ１２は、３軸３自由度の各検出軸に沿った重力加速度１００の各分力成分の検出を随時デジタル信号情報として出力することができるように設けるものとするとよい。
【００５９】
本実施の形態の携帯情報端末１０への加速度センサ１２の組み付けについて説明する。本実施の形態の携帯情報端末１０が備える加速度センサ１２は、液晶表示画面１１（図２参照）の表示画面長辺方向１１ａ（図２参照）と表示画面短辺方向１１ｂ（図２参照）とに加速度の検出軸を合わせて携帯情報端末１０の重心位置に組み付けるものとするとよい。このように設けることにより、液晶表示画面１１の表示画面長辺方向１１ａに沿って検出される重力加速度１００（図２参照）の表示画面長辺方向成分１００ａ（図２参照）と液晶表示画面１１の表示画面短辺方向１１ｂに沿って検出される重力加速度１００の表示画面短辺方向成分１００ｂ（図２参照）とを同時に正確に検出することができる。また、このように設けることにより、本実施の形態の携帯情報端末１０が備える加速度センサ１２は、液晶表示画面１１の表示画面長辺方向１１ａと表示画面短辺方向１１ｂとに直交する方向（液晶表示画面１１の法線方向）に沿って検出される重力加速度１００の法線方向成分も同時に正確に検出することができる。このため、加速度センサ１２は、携帯情報端末１０がどのような姿勢にある場合にも死角を生じることが無く、重力加速度１００の総スカラ量を変動することの無い一定の量として連続的に検出することができる。このように、本実施の形態の携帯情報端末１０が備える加速度センサ１２は、重力加速度（並びに重力加速度方向）１００を常に正確に把握することができる。
【００６０】
また、本実施の形態の携帯情報端末１０が備える加速度センサ１２は、前述のように携帯情報端末１０の重心位置に組み付けるものとするとよい。このように設ける場合には、加速度センサ１２が組み付けられた携帯情報端末１０の重心位置を中心として携帯情報端末１０が回転する回転運動である携帯情報端末１０のロール、ピッチ、ヨーの各回転運動が、加速度センサ１２による重力加速度１００（図２参照）の検出に影響を与えることがない。しかしながら一の実施の形態では、携帯情報端末１０の重心位置からオフセットした位置に加速度センサ１２を組み付けるものとしてもよい。この場合には、加速度センサ１２による重力加速度１００の検出は携帯情報端末１０のロール、ピッチ、ヨー運動の影響を受けることとなるものの、携帯情報端末１０の重心位置には加速度センサ１２より密度（重量）の大きい、例えば、バッテリ（不図示）等の重量物を配置することができることとなる。このように、携帯情報端末１０の重心位置に重量物を配置するように設ける場合には、携帯情報端末１０の慣性モーメントを減少させることができる。このように、携帯情報端末１０の慣性モーメントを減少させることにより、携帯情報端末１０をより把持し易く、また扱い易く設けることができる。
【００６１】
本実施の形態の携帯情報端末１０が備える加速度センサ１２による重力加速度１００（図２参照）の検出方法について説明する。本実施の形態の携帯情報端末１０が備える加速度センサ１２による重力加速度１００（表示画面長辺方向成分１００ａ、表示画面短辺方向成分１００ｂ（図２参照））の検出は、一定の検出期間の間（例えば、０．５秒間）、変動しない加速度（成分）を重力加速度１００として検出するように設けるものとするとよい。あるいは、適切なローパスフィルタ（不図示）を用いることにより、高い周波数の加速度の変動成分を除去するものとしてもよい。このように設けることにより、遠隔教育の受講者が把持して携帯することに起因して携帯情報端末１０に不規則に加えられることとなる変動する加速度（成分）と変動することの無い重力加速度１００（表示画面長辺方向成分１００ａ、表示画面短辺方向成分１００ｂ）とを区別して検出することができる。また、一の実施の形態では、携帯情報端末１０の重心位置からオフセットして配置される加速度センサ１２が検出する携帯情報端末１０のロール、ピッチ、ヨー運動に伴う加速度（成分）の検出を重力加速度１００の検出から区別することができる。
【００６２】
本発明の携帯情報端末１０が備える加速度センサ１２による重力加速度１００（図２参照）の検出では、表示画面１１への情報ウインドウ１、２（図２参照）の描画方向を定めるために、重力加速度１００の表示画面長辺方向成分１００ａ（図２参照）と表示画面短辺方向成分１００ｂ（図２参照）とを比較することができればよい。このため、本実施の形態の携帯情報端末１０が備える３軸３自由度の加速度センサ１２は、液晶表示画面１１（図２参照）の長辺方向１１ａ（図２参照）に沿って検出される重力加速度１００の表示画面長辺方向成分１００ａを検出するものとするとよい。また、加速度センサ１２は、液晶表示画面１１の短辺方向１１ｂ（図２参照）に沿って検出される重力加速度１００の表示画面短辺方向成分１００ｂを検出するとよい。後に詳述する本実施の形態の携帯情報端末１０が備える描画部１４は加速度センサ１２が検出した重力加速度１００の表示画面長辺方向成分１００ａおよび／または表示画面短辺方向成分１００ｂに基づいて表示画面１１への情報ウインドウ１、２の描画方向を定めるように設けることができる。
【００６３】
他の実施の形態においては、加速度センサ１２は、１軸１自由度の検出軸に沿って加速度を検出する１軸１自由度の加速度センサ１２を複数組み合わせて設けるものとしてもよい。この場合には、例えば、一の１軸１自由度の加速度センサ１２は、液晶表示画面１１（図２参照）の表示画面長辺方向１１ａ（図２参照）の重力加速度１００（図２参照）の表示画面長辺方向成分１００ａ（図２参照）のみを検出するように設けるものとするとよい。また、他の１軸１自由度の加速度センサ１２は、液晶表示画面１１の表示画面短辺方向１１ｂ（図２参照）の重力加速度１００の表示画面短辺方向成分１００ｂ（図２参照）のみを検出するように設けるものとするとよい。この場合にも、後に詳述する描画部１４は、一の加速度センサ１２が検出する重力加速度１００の表示画面長辺方向分力成分１００ａと他の加速度センサ１２が検出する重力加速度１００の表示画面短辺方向分力成分１００ｂとを比較して情報ウインドウ１、２（図２参照）の描画方向を決定するように設けることができる。
【００６４】
さらに他の実施の形態では、本実施の形態の携帯情報端末１０が備える３軸３自由度の加速度センサ１２は、液晶表示画面１１（図２参照）の長辺方向１１ａ（図２参照）または短辺方向１１ｂ（図２参照）のいずれか一方向（１軸１自由度）の検出軸に沿った重力加速度１００（図２参照）の一分力成分のみを検出するように設けるものとしてもよい。あるいは、液晶表示画面１１の長辺方向１１ａまたは短辺方向１１ｂのいずれか一方向の検出軸に沿った重力加速度１００の一分力成分のみを一の１軸１自由度の加速度センサ１２を備えることにより検出するように設けるものとしてもよい。この場合には、検出された一の重力加速度１００の分力成分と比較すべき他の重力加速度１００の分力成分は後に詳述する描画部１４により推定して定めるものとするとよい。
【００６５】
本実施の形態の携帯情報端末１０が備える加速度センサ１２による重力加速度１００（図２参照）の一の分力成分の検出に基づく他の分力成分の推定について説明する。例えば、本実施の形態の携帯情報端末１０が備える加速度センサ１２により液晶表示画面１１（図２参照）の表示画面長辺方向１１ａ（図２参照）に沿って検出された重力加速度１００の表示画面長辺方向成分１００ａ（図２参照）と地球上における標準的な重力加速度１００の値（例えば、９．８０６６５ｍ／ｓ＾２）とを比較することができる。この場合には、例えば、三角法（逆余弦関数）を用いることにより携帯情報端末１０の鉛直方向に対する傾斜角θ（図２参照）を推定することができる。また、推定された傾斜角θに基づいて同じく三角法（正弦関数）により重力加速度１００の表示画面短辺方向成分１１ｂ（図２参照）を同時に推定することができる。このため、液晶表示画面１１の長辺方向１１ａまたは短辺方向１１ｂのいずれか一方向の検出軸に沿った重力加速度１００の分力成分のみを検出する、例えば、一の１軸１自由度の加速度センサ１２を用いる場合にも、重力加速度１００の長辺方向成分１００ａと短辺方向成分１００ｂとを検出並びに推定して比較することができる。
【００６６】
本実施の形態の携帯情報端末１０が備える回転検出装置について説明する。本実施の形態の携帯情報端末１０は、液晶表示画面１１（図２参照）の法線方向の軸周りの回転（角速度、角加速度）２００（図２参照）を検出することにより遠隔教育の受講者が典型的には片手で把持して操作する携帯情報端末１０の姿勢（回転角度）を検知することができる回転検出装置であるジャイロセンサ１３を備える。本実施の形態の携帯情報端末１０が備えるジャイロセンサ１３は一の検出軸周りの回転２００の角速度または角加速度を検出する回転検出回路が半導体パッケージに内蔵された振動型のジャイロセンサにより設けるものとするとよい。本実施の形態の携帯情報端末１０が備えるジャイロセンサ１３は、また、ＭＥＭＳ（Ｍｉｃｒｏ‐Ｅｌｅｃｔｒｏ‐Ｍｅｃｈａｎｉｃａｌ‐Ｓｙｓｔｅｍｓ）技術を用いることにより小型軽量に設けるものとするとよい。あるいは、本実施の形態の携帯情報端末１０が備えるジャイロセンサ１３は、より精密に携帯情報端末１０の回転の角速度または角加速度を検出し得るミラー又は光ファイバーを用いてレーザー光の光路差を測定する光学式のジャイロセンサを用いるものとしてもよい。本実施の形態の携帯情報端末１０が備えるジャイロセンサ１３は液晶表示画面１１の法線方向軸の周りの回転（角速度または角加速度）２００の検出を随時デジタル信号情報により出力するように設けるものとするとよい。
【００６７】
本実施の形態の携帯情報端末１０が備えるジャイロセンサ１３による携帯情報端末１０の回転２００（図２参照）の角速度、角加速度の検出に基づく携帯情報端末１０の回転２００の角度（姿勢）の検知について説明する。本実施の形態の携帯情報端末１０が備えるジャイロセンサ１３は、典型的には液晶表示画面１１（図２参照）の重心位置（対角線の交点位置）を通る法線の軸周りの回転２００の角速度または角加速度を検出するように設けるものとするとよい。しかしながら、ジャイロセンサ１３は携帯情報端末１０（液晶表示画面１１）の回転２００を検出することができればよいから、ジャイロセンサ１３は、液晶表示画面１１の重心位置以外の携帯情報端末１０内の任意の点を通る液晶表示画面１１の法線の軸周りの回転（角速度、角加速度）２００を検出するように設けるものとしてもよい。本実施の形態の携帯情報端末１０が備えるジャイロセンサ１３が携帯情報端末１０の回転２００の角加速度を連続して出力する場合には、出力された角加速度を時間により２階積分することにより携帯情報端末１０の液晶表示画面１１の法線方向の軸周りの回転２００の角度を検知することができる。あるいはジャイロセンサ１３が携帯情報端末１０の回転２００の角速度を連続して出力する場合には、出力された角速度を時間により１階積分することにより携帯情報端末１０の液晶表示画面１１の法線方向の軸周りの回転２００の角度を検知することができる。
【００６８】
なお、本実施の形態の携帯情報端末１０は、加速度センサ１２とジャイロセンサ１３との両方を備えるために、ジャイロセンサ１３による携帯情報端末１０の回転２００（図２参照）の角度の検知のための初期値（初期角度）は加速度センサ１２を用いることにより前述の傾斜角θ（図２参照）を検出（推定）して定めるものとするとよい。あるいは、後に詳述する描画部１４により最初の情報ウインドウ１（図２参照）を液晶表示画面１１に表示したときの携帯情報端末１０の角度（姿勢）を初期値として携帯情報端末１０の回転（角速度、角加速度）２００を積分して算出するものとしてもよい。
【００６９】
本実施の形態の携帯情報端末１０が備える描画（表示）装置について説明する。本実施の形態の携帯情報端末１０が備える描画（表示）装置である描画部１４は、表示画面１１に自在に情報を描画（表示）することができるグラフィックチップ（グラフィック回路）により構成するものとするとよい。本実施の形態の携帯情報端末１０が備える描画部１４は、重力加速度１００（図２参照）を検出する加速度センサ１２および／または携帯情報端末１０の液晶表示画面１１（図２参照）の法線方向の軸周りの回転２００（図２参照）を検出するジャイロセンサ１３による重力加速度１００および／または回転２００の検出結果を参照して描画（表示）をおこなうものとするとよい。本実施の形態の携帯情報端末１０が備える描画部１４は、加速度センサ１２および／またはジャイロセンサ１３による重力加速度１００および／または回転２００の検出結果に応じて液晶表示画面１１に情報ウインドウ１、２（図２参照）を表示すると共に、液晶表示画面１１の画面表示を切り替えるものとするとよい。
【００７０】
本実施の形態の携帯情報端末１０が備える描画部１４による情報ウインドウ１、２（図２参照）の表示および切り替えについて説明する。本実施の形態の携帯情報端末１０が備える描画部１４は、後に詳述するように、液晶表示画面１１（図２参照）を２つの表示領域に分割してそれぞれに異なる情報を表示する２つの情報ウインドウ１、２を並べて表示Ｄ０２（図２参照）することができる（第２の表示モード）。また、描画部１４は、後に詳述する情報ウインドウ表示基準Ｄ０１ＳＳ（図５参照）に従って一の情報ウインドウを選択Ｄ０１Ｓ（図５参照）し、選択Ｄ０１Ｓした一の情報ウインドウを液晶表示画面１１に拡大表示Ｄ０１（図２参照）することができる（第１の表示モード）。さらに、描画部１４は、加速度センサ１２およびジャイロセンサ１３による検出結果に応じて第１の表示モード（拡大表示）Ｄ０１と第２の表示モード（２画面並列表示）Ｄ０２とを情報ウインドウ表示基準Ｄ０１ＳＳが定める条件に従って随時切り替えて液晶表示画面１１に表示（描画）をおこなうことができる。このため、本実施の形態の携帯情報端末１０は遠隔教育の受講者が携帯情報端末１０を傾ける（回転する）操作に応じて液晶表示画面１１の表示モード（描画モード）を随時切り替えて情報の表示（描画）をおこなうことができる。
【００７１】
本実施の形態の携帯情報端末１０が備える他の構成について説明する。本実施の形態の携帯情報端末１０は、この他に、携帯情報端末１０における情報処理と制御とを統括しておこなう小型の中央演算装置であるマイクロプロセッサ（ＭＰＵ）２０を備える。また、表示画面１１、加速度センサ１２、ジャイロセンサ１３、描画部１４および情報通信部１５の各機能および作動をそれぞれ補助するランダムアクセスメモリ２２（ＲＡＭ）を備える。なお、本実施の形態では、情報ウインドウ表示基準Ｄ０１ＳＳは記録保存部２１に記録保存されるものとしたが、一の実施の形態では、情報ウインドウ表示基準Ｄ０１ＳＳはランダムアクセスメモリ（ＲＡＭ）２２に記録保存されるものとしてもよい。あるいは、他の実施の形態では、情報ウインドウ表示基準Ｄ０１ＳＳはマイクロプロセッサ（ＭＰＵ）２０に組み込み実装されてハードウェア的に構成されるものとしてもよい。
【００７２】
図２の画面表示の切り替えを示す図を参照して、本実施の形態の携帯情報端末１０が備える描画部１４（図１参照）による液晶表示画面１１への情報ウインドウ１、２の表示並びに切り替えについて一の例を示して説明する。図２（ａ）は液晶表示画面１１に表示すべき情報が横長Ｃ０１の情報である場合の情報ウインドウ１、２の表示並びに切り替えの例を示す。また、図２（ｂ）は液晶表示画面１１に表示すべき情報が縦長Ｃ０２の情報である場合の情報ウインドウ１、２の表示並びに切り替えの例を示す。
【００７３】
本実施の形態の携帯情報端末１０が備える描画部１４（図１参照）がおこなう情報ウインドウ１、２の初期的な表示方向の判断Ｃ０１／Ｃ０２について説明する。本実施の形態の携帯情報端末１０が備える描画部１４は、表示すべき情報に応じて、初期的に横長Ｃ０１に情報の表示をおこなうべきか、あるいは縦長Ｃ０２に情報の表示をおこなうべきかについて自動的に判断して表示（描画）をおこなうものとするとよい。例えば、描画部１４は、遠隔教育の受講者が表示すべきとして指定する情報（第１および第２の情報ウインドウ１、２に表示すべき情報）が横８００ｘ縦６００の画素数（画面サイズ、グラフィックモード）の画像により構成された映像情報である場合には、表示すべき情報の画素数の縦横比を比較することにより該情報を初期的に横長Ｃ０１に表示（描画）するものと判断するとよい。あるいは、描画部１４は表示すべき情報（画像）を画像解析することにより、例えば、顔検出または文字検出をおこなって、表示すべき情報の横長Ｃ０１または縦長Ｃ０２を判断するものとするとよい。
【００７４】
具体的には、初期的に表示すべき情報（例えば、第１の情報ウインドウ１に表示すべき情報）が、例えば、遠隔教育をおこなう講師の映像である横長（横１６００ｘ縦１２００の画素数）Ｃ０１の映像情報３００（図９参照）である場合には、描画部１４（図１参照）は横長Ｃ０１（図２（ａ）参照）に第１の情報ウインドウ１を表示することを決定するものとするとよい。一方、初期的に表示すべき情報（例えば、第１の情報ウインドウ１に表示すべき情報）が、例えば、Ａ４規格の書面を縦長に示す縦長（横１６００ｘ縦２４００の画素数）Ｃ０２の文書情報（不図示）である場合には、描画部１４は縦長Ｃ０２（図２（ｂ）参照）に第１の情報ウインドウ１を表示することを決定するものとするとよい。なお、情報の天地方向（縦長Ｃ０１／横長Ｃ０２）は典型的には情報の提供者が決定して指定することができる。例えば、情報の提供者は、重力加速度１００を検出する加速度センサ１２（図１参照）を備えたデジタルカメラ（不図示）により写真撮影をおこなうことにより、画像の天地方向を加速度センサ１２が検出する重力加速度１００により決定して指定することができる。
【００７５】
本実施の形態の携帯情報端末１０が備える描画部１４（図１参照）による初期的な描画方向（表示モードＤ０１／Ｄ０２）の判別Ｄ００Ｖ（図５参照）について説明する。本実施の形態の携帯情報端末１０が備える描画部１４は、加速度センサ１２（図１参照）および／またはジャイロセンサ１３（図１参照）により検出した重力加速度１００および／または携帯情報端末１０の回転（角度）２００に基づいて遠隔教育の受講者が携帯情報端末１０をどの向きに把持しているかを検知することができる。このため、描画部１４は、第１および第２の情報ウインドウ１、２に表示すべき情報の初期的な画面表示（描画方向、１画面表示Ｄ０１または２画面表示Ｄ０２）を判別Ｄ００Ｖして情報ウインドウ１、２の表示をおこなうものとするとよい。
【００７６】
例えば、図２（ａ）に示すように、最初に描画すべき情報（情報ウインドウ１に表示すべき情報）が横長Ｃ０１である場合に、遠隔教育の受講者が携帯情報端末１０を縦長Ｄ０２に把持している場合には、描画部１４（図１参照）は液晶表示画面１１に第１および第２の情報ウインドウ１、２を２画面表示Ｄ０２により並べて表示するものとするとよい。この場合には、最初に描画すべき情報（情報ウインドウ１に表示すべき情報）の描画方向（横長Ｃ０１）と遠隔教育の受講者による携帯情報端末１０の把持方向（縦長Ｄ０２）とが不一致（図５参照）であったものといえる。一方、最初に描画すべき情報（情報ウインドウに表示すべき情報）が横長Ｃ０１である場合に、遠隔教育の受講者が携帯情報端末１０を横長Ｄ０１に把持している場合には、描画部１４は液晶表示画面１１に第１の情報ウインドウ１を１画面表示Ｄ０１により拡大して表示するものとするとよい。この場合には、最初に描画すべき情報（情報ウインドウ１に表示すべき情報）の描画方向（横長Ｃ０１）と遠隔教育の受講者による携帯情報端末１０の把持方向（横長Ｄ０１）とが一致（図５参照）していたものといえる。
【００７７】
本実施の形態の携帯情報端末１０が備える描画部１４（図１参照）による天地方向判別Ｄ０１Ｖ、Ｄ０２Ｖ（図５および図６参照）について説明する。描画部１４は、情報の横長Ｃ０１／縦長Ｃ０２の別を判別し、初期的に第１の表示モードＤ０１で表示すべきか、あるいは第２の表示モードＤ０２で表示すべきかについて判別Ｄ００Ｖ（図５参照）をおこなった後に、携帯情報端末１０の天地方向を検知して液晶表示画面１１の天地方向（一の下辺）を決定Ｄ０１Ｖ、Ｄ０２Ｖするとよい。
【００７８】
例えば、図２（ａ）に示す液晶表示画面１１への横長Ｃ０１の情報の表示において、描画部１４（図１参照）は、加速度センサ１２（図１参照）および／またはジャイロセンサ１３（図１参照）による検出結果（重力加速度（方向）１００および／または携帯情報端末１０の回転（角度）２００）を把握することができる。このため、描画部１４は、１画面表示Ｄ０１または２画面表示Ｄ０２のいずれの表示モードにより情報ウインドウ１、２を表示する場合にも、情報ウインドウ（情報）１、２の下辺方向と遠隔教育の受講者が把持する携帯情報端末１０が備える液晶表示画面１１の下辺方向（鉛直下方向）とを合わせて表示Ｄ０１Ｖ、Ｄ０２Ｖ（図５参照）をおこなうことができる。
【００７９】
同じく、図２（ｂ）に示す例を用いて具体的に例えば、最初に描画すべき情報（情報ウインドウ１に表示すべき情報）が縦長Ｃ０２である場合に、遠隔教育の受講者が携帯情報端末１０を横長Ｄ０２に把持している場合には、描画部１４（図１参照）は液晶表示画面１１に第１および第２の情報ウインドウ１、２を２画面表示Ｄ０２により並べて表示するものとするとよい。この場合には、最初に描画すべき情報（情報ウインドウ１に表示すべき情報）の描画方向（縦長Ｃ０２）と遠隔教育の受講者による携帯情報端末１０の把持方向（横長Ｄ０２）とが不一致（図５参照）であったものといえる。一方、最初に描画すべき情報（情報ウインドウ１に表示すべき情報）が縦長Ｃ０２である場合に、遠隔教育の受講者が携帯情報端末１０を縦長Ｄ０１に把持している場合には、描画部１４は液晶表示画面１１に第１の情報ウインドウ１を１画面表示Ｄ０１により拡大して表示するものとするとよい。この場合には、最初に描画すべき情報（情報ウインドウ１に表示すべき情報）の描画方向（縦長Ｃ０２）と遠隔教育の受講者による携帯情報端末１０の把持方向（縦長Ｄ０１）とが一致（図５参照）していたものといえる。
【００８０】
この際、描画部１４（図１参照）は、加速度センサ１２（図１参照）および／またはジャイロセンサ１３（図１参照）による検出結果（重力加速度（方向）１００および／または携帯情報端末１０の回転（角度）２００）を把握することができる。このため、描画部１４は、１画面表示Ｄ０１または２画面表示Ｄ０２のいずれの表示モードにより情報ウインドウ１、２を表示する場合にも、情報ウインドウ（情報）１、２の下辺方向と遠隔教育の受講者が把持する携帯情報端末１０が備える液晶表示画面１１の下辺方向（鉛直下方向）とを合わせて、すなわち、天地方向を合わせて、表示Ｄ０１Ｖ、Ｄ０２Ｖ（図５参照）をおこなうことができる。
【００８１】
本実施の形態の携帯情報端末１０の画面表示の切り替えについて説明する。本実施の形態の携帯情報端末１０は、液晶表示画面１１に初期的に２画面表示Ｄ０２がなされた状態から、遠隔教育の受講者がおこなう携帯情報端末１０を左に傾ける操作Ｄ０２Ｂあるいは右に傾ける操作Ｄ０２Ｃに応じて、画面表示を１画面表示Ｄ０１に切り替えるように設けるものとするとよい。１画面表示Ｄ０１において表示すべき一の情報ウインドウは、遠隔教育の受講者が携帯情報端末１０を左に傾ける操作Ｄ０２Ｂをおこなうか、あるいは右に傾ける操作Ｄ０２Ｃをおこなうかに応じて、いずれか一の情報ウインドウを情報ウインドウ表示基準Ｄ０１ＳＳ（図５参照）に従って描画部１４（図１参照）が選択Ｄ０１Ｓ（図５参照）するものとするとよい。遠隔教育の受講者が携帯情報端末１０を左または右に傾ける操作は携帯情報端末１０を片手で把持する遠隔教育の受講者が主として手首を捻って携帯情報端末１０を回転２００させることで特別容易におこなうことができる操作である。このため、遠隔教育の受講者は、第１および第２の情報ウインドウ１、２に表示される情報を統合して、あるいは相互に比較して参照することができる２画面表示Ｄ０２と、選択Ｄ０１Ｓした一の情報ウインドウを拡大して詳細に参照することができる１画面表示Ｄ０１とを随意に切り替えることができる。
【００８２】
本実施の形態の携帯情報端末１０を左右に傾けておこなう画面表示（表示モード）の切り替えについて説明する。本実施の形態の携帯情報端末１０の２画面表示Ｄ０２と１画面表示Ｄ０１との切り替えは、前述のように、加速度センサ１２（図１参照）により検出される重力加速度１００の表示画面長辺方向成分１００ａと表示画面短辺方向成分１００ｂとを比較することによりおこなうものとするとよい。例えば、携帯情報端末１０を２画面表示Ｄ０２された状態から徐々に左に傾けるＤ０２Ｂ場合には、例えば、図２（ａ）に示すように、加速度センサ１２により検出される重力加速度１００の表示画面長辺方向成分１００ａは地球上における標準的な重力加速度の値である１Ｇから徐々に減少する。一方、重力加速度１００の表示画面短辺方向成分１００ｂは０Ｇから徐々に増加することとなる。このため、重力加速度１００の表示画面長辺方向成分１００ａの表示画面短辺方向成分１００ｂに対する割合が情報ウインドウ表示基準Ｄ０１ＳＳ（図５参照）で定める所定の割合（閾値）に至ったときＤ０２Ｂ（Ｄ０２Ａ）に２画面表示Ｄ０２から１画面表示Ｄ０１に切り替えるものとするとよい。
【００８３】
例えば、２画面表示Ｄ０２から１画面表示Ｄ０１へ切り替えをおこなうＤ０２Ｂ（Ｄ０２Ａ）ときの閾値は、携帯情報端末１０が備える記録保存部２１（図１参照）が記録保存する情報ウインドウ表示基準Ｄ０１ＳＳ（図５参照）により定めるものとするとよい。情報ウインドウ表示基準Ｄ０１ＳＳで定める重力加速度１００の表示画面長辺方向成分１００ａの表示画面短辺方向成分１００ｂに対する所定の割合（閾値）は、例えば、携帯情報端末１０を把持する遠隔教育の受講者から見る鉛直方向から左方向への表示画面長辺方向成分１００ａの傾斜角θが左４５度となったＤ０２Ｂときにおける１とするものと定めてもよい。
【００８４】
図２（ａ）において携帯情報端末１０を左に傾けるＣ０１／Ｄ０２Ｂ場合には、表示画面長辺方向成分１００ａの表示画面短辺方向成分１００ｂに対する割合は、余接関数（コタンジェント）に沿って減少し、鉛直方向から左方向へ表示画面長辺方向成分１００ａの傾斜角θが左４５度となったＤ０２Ｂときに長辺方向成分１００ａと短辺方向成分１００ｂとが等しくなって閾値である１となる。この際、携帯情報端末１０が備える描画部１４（図１参照）は、情報ウインドウ表示基準Ｄ０１ＳＳ（図５参照）に従って第１の情報ウインドウ１（上側の情報ウインドウ１）を１画面表示Ｄ０１するように切り替えるものとするとよい。情報ウインドウ表示基準Ｄ０１ＳＳは、例えば、「２画面表示されているＣ０１／Ｄ０２ときに、携帯情報端末１０（表示画面長辺方向成分１００ａ）が鉛直方向から左に４５度傾いた（傾斜角θ＝左４５度）Ｄ０２Ｂときには第１の情報ウインドウ１を１画面表示Ｄ０１する」と定めるものとするとよい。情報ウインドウ表示基準Ｄ０１ＳＳは、あるいは第１の情報ウインドウ１（上側の情報ウインドウ１）に代えて、第２の情報ウインドウ２（下側の情報ウインドウ２）を拡大表示Ｄ０１するように定めるものとしてもよい。
【００８５】
画面表示が１画面表示Ｄ０１に切り替えられた後も、さらに携帯情報端末１０を左に傾け続けるＤ０２Ｂ場合には、表示画面長辺方向成分１００ａの表示画面短辺方向成分１００ｂに対する割合は、携帯情報端末１０（表示画面長辺方向成分１００ａ）の鉛直方向に対する傾斜角θが左４５度Ｄ０２Ｂにおける１からさらに余接関数に沿って減少し、傾斜角θが左９０度Ｄ０１において０となる。この状態において、遠隔教育の受講者は選択Ｄ０１Ｓ（図５参照）した第１の情報ウインドウ１に表示された情報を１画面表示Ｄ０１により拡大表示された状態で詳細に閲覧することができる。
【００８６】
携帯情報端末１０が横転した状態（傾斜角θ＝左９０度Ｄ０１）から、さらに左に傾け続ける場合には、表示画面長辺方向成分１００ａの表示画面短辺方向成分１００ｂに対する割合は、傾斜角θが左９０度を超える（例えば、傾斜角θ＝左１２０度等）こととなるから、余接関数に従って、例えば、負（マイナス）の値となるものと定義するものとしてもよい。また、さらに左に傾け続けて、傾斜角θが左１８０度となった（不図示）場合には、携帯情報端末１０の天地が入れ替わった状態（端末倒立状態）となり、この状態において、典型的には、画面表示の天地を入れ替えて、初期の２画面表示（画面表示正立状態）Ｄ０２をおこなうものとするとよい。
【００８７】
あるいは、画面表示の天地を入れ替えて２画面表示（画面表示正立状態）Ｄ０２をおこなうことなく、そのまま第１の情報ウインドウ１を表示したままの状態で、傾斜角θが左１８０度（画面表示横転状態）を越えて、さらに左に傾け続けられる場合の傾斜角θを余接関数（コタンジェント）に従って右方向への傾斜角θに変換するものとしてもよい。すなわち、例えば、傾斜角θ＝左２１０度を傾斜角θ＝右１５０度に変換して画面表示の切り替えをおこなうものとしてもよい。この場合には、携帯情報端末１０がさらに左に傾け続けられることにより、傾斜角θ＝左２７０度＝右９０度となったときに、第１の情報ウインドウ１の１画面表示（画面表示倒立状態）Ｄ０１から、後に詳述するように、第２の情報ウインドウ２の１画面表示（画面表示正立状態）Ｄ０１に直接切り替えるものとしてもよい。
【００８８】
本実施の形態の携帯情報端末１０を左方向に傾けられた状態（第１の情報ウインドウ１が１画面表示Ｄ０１された状態）から元に戻すことによって、２画面表示Ｄ０２への切り替えをおこなう場合について説明する。１画面表示Ｄ０１から２画面表示Ｄ０２へ切り替えをおこなうＤ０１Ａときの閾値も情報ウインドウ表示基準Ｄ０１ＳＳ（図５参照）により同様に定めるものとするとよい。この場合にも、加速度センサ１２（図１参照）により検出される重力加速度１００の表示画面長辺方向成分１００ａの表示画面短辺方向成分１００に対する所定の割合（閾値）を、例えば、携帯情報端末１０（表示画面長辺方向成分１００ａ）の鉛直方向からの傾斜角θが左４５度まで戻されたＤ０１Ａときにおける１とするものと定めてもよい。このように、典型的には、２画面表示（第２の表示モード）Ｄ０２から１画面表示（第１の表示モード）Ｄ０１へ切り替えるための第１の閾値（第１の角度）と、１画面表示Ｄ０１から２画面表示Ｄ０２へ切り替えるための第２の閾値（第２の角度）とを同一の値（例えば、同一の角度または分力成分の割合）（例えば、前述の通り傾斜角θ＝左４５度）として設けるものとするとよい。しかしながら、後に詳述するように、第１の閾値（例えば、第１の角度）と第２の閾値（例えば、第１の角度）とを異なる値（例えば、異なる角度または分力成分の割合）として設けるものとしてもよい。
【００８９】
本実施の形態の携帯情報端末１０を左に傾けた状態から元に戻す場合には、表示画面長辺方向成分１００ａの表示画面短辺方向成分１００ｂに対する割合は、余接関数（コタンジェント）に沿って増加し、鉛直方向から左方向へ表示画面長辺方向成分１００ａの傾斜角θが左４５度まで戻されたＤ０１Ａときに再び長辺方向成分１００ａと短辺方向成分１００ｂとが等しくなって閾値である１となる。この際、携帯情報端末１０が備える描画部１４（図１参照）は、情報ウインドウ表示基準Ｄ０１ＳＳ（図５参照）に従って第１および第２の情報ウインドウ１、２を元のように並べて２画面表示Ｄ０２するように切り替えるものとするとよい。情報ウインドウ表示基準Ｄ０１ＳＳは、例えば、「１画面表示されているＣ０１／Ｄ０１ときに、携帯情報端末１０（表示画面長辺方向成分１００ａ）が鉛直方向から左に４５度（傾斜角θ＝左４５度）まで戻されたＤ０１Ａときには第１および第２の情報ウインドウ１、２を並べて２画面表示Ｄ０２する」と定めるものとするとよい。
【００９０】
あるいは、情報ウインドウ表示基準Ｄ０１ＳＳ（図５参照）は、この際、例えば、「第１および第２の情報ウインドウ１、２の上下の位置を入れ替えて２画面表示Ｄ０２をおこなう」ものと定めるものとしてもよい。このように１画面表示Ｄ０１から２画面表示Ｄ０２への切り替えをおこなう際に、第１および第２の情報ウインドウ１、２の上下（あるいは左右）の位置を入れ替えるように設けることにより、連続して携帯情報端末１０を同一方向に傾ける場合にも、交互に異なる情報ウインドウを選択Ｄ０１Ｓ（図５参照）して１画面表示Ｄ０１により拡大して表示させることもできる。
【００９１】
画面表示が２画面表示Ｄ０２に切り替えられた後も、さらに携帯情報端末１０を左から鉛直方向に起こし（戻し）続ける場合には、表示画面長辺方向成分１００ａの表示画面短辺方向成分１００ｂに対する割合は、携帯情報端末１０（表示画面長辺方向成分１００ａ）の鉛直方向に対する傾斜角θが左４５度Ｄ０１Ａにおける１からさらに余接関数に沿って増加し、傾斜角θが左０度において左に傾ける前の状態に戻る。この状態において、遠隔教育の受講者は第１および第２の情報ウインドウ１、２を２画面表示Ｄ０２により並べて表示された状態で閲覧することができる。
【００９２】
本実施の形態の携帯情報端末１０を右に傾けておこなう画面表示の切り替えについて説明する。本実施の形態の携帯情報端末１０を右に傾けておこなう２画面表示Ｄ０２から１画面表示Ｄ０１への切り替えの閾値も、例えば、情報ウインドウ表示基準Ｄ０１ＳＳ（図５参照）により同様に、重力加速度１００の表示画面長辺方向成分１００ａの表示画面短辺方向成分１００ｂに対する割合によって定めるものとするとよい。この場合にも、前述の携帯情報端末１０を左に傾けるＤ０２Ｂ場合と同様に、携帯情報端末１０（表示画面長辺方向成分１００ａ）の鉛直方向からの傾斜角θが右４５度となったＤ０２Ｃときにおける１と定めてもよい。情報ウインドウ表示基準Ｄ０１ＳＳは、例えば、「２画面表示されているＣ０１／Ｄ０２ときに、携帯情報端末１０（表示画面長辺方向成分１００ａ）が鉛直方向から右に４５度傾いた（傾斜角θ＝右４５度）Ｄ０２Ｃときには第２の情報ウインドウ２を１画面表示Ｄ０１する」と定めるものとするとよい。
【００９３】
前述の携帯情報端末１０を左に傾けるＤ０２Ｂ場合と同様に、携帯情報端末１０が備える描画部１４（図１参照）は、情報ウインドウ表示基準Ｄ０１ＳＳ（図５参照）に従って第２の情報ウインドウ２（下側の情報ウインドウ２）を選択Ｄ０１Ｓ（図５参照）して１画面表示Ｄ０１するように切り替えることができる。この場合にも、情報ウインドウ表示基準Ｄ０１ＳＳは任意に定めることができるから、あるいは第２の情報ウインドウ２（下側の情報ウインドウ２）に代えて、第１の情報ウインドウ１（上側の情報ウインドウ１）を拡大表示Ｄ０１するように定めるものとしてもよい。
【００９４】
本実施の形態の携帯情報端末１０を右方向に傾けられた状態（第２の情報ウインドウ２が１画面表示Ｄ０１された状態）（傾斜角θ＝右９０度Ｄ０１）から元に戻すことによって、２画面表示Ｄ０２への切り替えをおこなう場合について説明する。１画面表示Ｄ０１から２画面表示Ｄ０２への切り替えをおこなうＤ０１Ａときの閾値も情報ウインドウ表示基準Ｄ０１ＳＳ（図５参照）により同様に定めるものとするとよい。この場合にも、加速度センサ（図１参照）により検出される重力加速度１００の表示画面長辺方向成分１００ａの表示画面短辺方向成分１００ｂに対する所定の割合（閾値）を、例えば、携帯情報端末１０（表示画面長辺方向成分１００ａ）の鉛直方向からの傾斜角θが右４５度まで戻されたＤ０１Ａときにおける１とするものと定めてもよい。情報ウインドウ表示基準Ｄ０１ＳＳは、例えば、「１画面表示されているＣ０１／Ｄ０１ときに、携帯情報端末１０（表示画面長辺方向成分１００ａ）が鉛直方向から右に４５度（傾斜角θ＝右４５度）まで戻されたＤ０１Ａときには第１および第２の情報ウインドウ１、２を元のように並べて２画面表示Ｄ０２する」と定めるものとするとよい。携帯情報端末１０が備える描画部１４（図１参照）は、情報ウインドウ表示基準Ｄ０１ＳＳに従って第１のおよび第２の情報ウインドウ１、２を元のように並べて２画面表示Ｄ０２するように切り替えるものとするとよい。
【００９５】
あるいは、前述の説明と同様に、情報ウインドウ表示基準Ｄ０１ＳＳ（図５参照）は、この際、例えば、「第１および第２の情報ウインドウ１、２の上下の位置を入れ替えて２画面表示Ｄ０２をおこなう」ものと定めるものとしてもよい。このように１画面表示Ｄ０１から２画面表示Ｄ０２への切り替えをおこなう際に、第１および第２の情報ウインドウ１、２の上下（あるいは左右）の位置を入れ替えるように設けることにより、連続して携帯情報端末１０を同一方向に傾ける場合にも、交互に異なる情報ウインドウを選択Ｄ０１Ｓ（図５参照）して１画面表示Ｄ０１により拡大して表示させることもできる。
【００９６】
また、前述の通り、２画面表示Ｄ０２から１画面表示Ｄ０１への切り替えをおこなうための閾値Ｄ０２Ａ、Ｄ０２Ｂ、Ｄ０２Ｃと１画面表示Ｄ０１から２画面表示Ｄ０２への切り替えをおこなうための閾値Ｄ０１Ａとは典型的には同値に設けるものとするとよい。しかしながら、例えば、遠隔教育の受講者の手首の可動回転角度の非対称性等の人間工学的な理由に起因して両閾値（例えば、角度または分力成分の割合）を異なる値により設けるものとしてもよい。例えば、情報ウインドウ表示基準Ｄ０１ＳＳ（図５参照）により「２画面表示Ｃ０１／Ｄ０２されているときに、携帯情報端末１０（重力加速度１００の表示画面長辺方向成分１００ａ）が鉛直方向から左に３０度傾いた（傾斜角θ＝左３０度）Ｄ０２Ｂときには第１の情報ウインドウ１を１画面表示Ｄ０１する」（第１の閾値）と定めるものとしてもよい。一方で、情報ウインドウ表示基準Ｄ０１ＳＳにより「１画面表示Ｃ０１／Ｄ０１されているときに、携帯情報端末１０（表示画面長辺方向成分１００ａ）が左に傾けられた状態から鉛直方向より左に５０度（傾斜角θ＝左５０度）まで戻されたＤ０１Ａときには第１および第２の情報ウインドウ１、２を並べて２画面表示Ｄ０２する」（第２の閾値）と定めるものとしてもよい。
【００９７】
このように異なる閾値（例えば、角度または分力成分の割合）により２画面表示Ｄ０２と１画面表示Ｄ０１との間の切り替えをおこなうことにより、例えば、２画面表示Ｃ０１／Ｄ０２されている携帯情報端末１０を鉛直方向から左へ傾けるＤ０２Ｂときと１画面表示Ｃ０１／Ｄ０１されている携帯情報端末１０を左から元へ（鉛直方向へ）戻すＤ０１Ａときとの間の携帯情報端末１０の回転２００の角速度の差異を補うことができる。このため、遠隔教育の受講者は２画面表示Ｃ０１／Ｄ０２されている携帯情報端末１０を鉛直方向から左へ傾けるＤ０２Ｂときと１画面表示Ｃ０１／Ｄ０１されている携帯情報端末１０を左から元へ（鉛直方向へ）戻すＤ０１Ａときとで同じ操作感覚により画面表示の切り替え操作をおこなうことができる。また、同様の理由から、画面表示の切り替えのための閾値は、例えば、２画面表示Ｃ０１／Ｄ０２された携帯情報端末１０を鉛直方向から左Ｄ０２Ｂまたは右Ｄ０２Ｃへ傾けるときと、１画面表示Ｃ０１／Ｄ０１された携帯情報端末１０を左または右から元へ（鉛直方向へ）戻すＤ０１Ａときとで、全て異なる値により定めるものとしてもよい。
【００９８】
あるいは、例えば、２画面表示Ｃ０１／Ｄ０２から１画面表示Ｃ０１／Ｄ０１への切り替えをおこなうための閾値（例えば、角度または分力成分の割合）（第１の閾値）と、１画面表示Ｃ０１／Ｄ０１から２画面表示Ｃ０１／Ｄ０２への切り替えをおこなうための閾値（第２の閾値）とが同値であることに起因する制御上の不安定の発生の可能性を排除するために、両閾値を異なる値に設けるものとしてもよい。例えば、前述の例により、両閾値を共に鉛直方向から左に４５度（傾斜角θ＝左４５度）に設けた場合には、例えば、偶然にも閾値上（傾斜角θ＝左４５度）で携帯情報端末１０を傾ける回転の角速度が０となって折り返されるように携帯情報端末１０を傾けるＤ０２Ｂ動作がおこなわれた場合には、画面表示の切り替え制御が不安定となる可能性を有する。この場合には、描画部１４（図１参照）は、２画面表示Ｃ０１／Ｄ０２から１画面表示Ｃ０１／Ｄ０１に画面表示を切り替えようとすると共に、１画面表示Ｃ０１／Ｄ０１から２画面表示Ｃ０１／Ｄ０２に画面表示を切り替えようとすることとなって、画面表示の切り替え制御が不安定となる可能性を有する。
【００９９】
このような制御上の特異点が生じる可能性を排除するために、例えば、２画面表示Ｃ０１／Ｄ０２から１画面表示Ｃ０１／Ｄ０１への切り替えをおこなうための閾値（第１の閾値）を、例えば、鉛直方向から左へ５０度（傾斜角θ＝左５０度）まで傾けたＤ０２Ｂ位置に設けるものとするとよい。一方で、例えば、１画面表示Ｃ０１／Ｄ０１から２画面表示Ｃ０１／Ｄ０２への切り替えをおこなうための閾値（第２の閾値）を、例えば、鉛直方向から左へ３０度（傾斜角θ＝左３０度）まで傾けたＤ０１Ａ位置に設けるものとするとよい。このように、両閾値を相互に交差する（オーバーラップする）領域を有するように設けることにより、両閾値を同値に設けた場合に生じ得る制御上の不安定が生じる可能性を排除することができる。
【０１００】
本実施の形態の携帯情報端末１０が備えるジャイロセンサ１３（図１参照）を用いた携帯情報端末１０の画面表示の切り替えについて説明する。本実施の形態の携帯情報端末１０の画面表示の切り替えは、加速度センサ１２（図１参照）による重力加速度１００の検出に基づいておこなうことができる他、ジャイロセンサ１３による携帯情報端末１０が備える液晶表示画面１１の法線の周りの回転２００の検出に基づいてもおこなうことができるように設けるものとするとよい。このように設けることにより、携帯情報端末１０を、例えば、机等の水平面上に置いた場合、すなわち、加速度センサ１２により重力加速度１００を液晶表示画面１１の長辺方向１１ａおよび／または短辺方向１１ｂに沿って検出できない場合でも、ジャイロセンサ１３の検出に基づいて画面表示の切り替えをおこなうことができる。このような構成は、例えば、遠隔教育の受講者がタブレットＰＣ（例えば、ｉＰａｄ（登録商標））等の比較的大型の携帯情報端末１０を机上に置いて操作するような場合にも、ジャイロセンサ１３により携帯情報端末１０の回転２００を検知して画面表示の切り替えをおこなうことができるという効果を奏する。
【０１０１】
本実施の形態の携帯情報端末１０の画面表示の切り替えは、加速度センサ１２（図１参照）による重力加速度１００の検出とジャイロセンサ１３（図１参照）による携帯情報端末１０の回転２００の検出とを組み合わせた検出結果に応じておこなうように設けるものとするとよい。携帯情報端末１０を略水平に把持する場合には、加速度センサ１２により検出される重力加速度１００の表示画面長辺方向分力成分１００ａと表示画面短辺方向分力成分１００ｂとは共に小さな値となる。一方で、例えば、鉛直方向に対して遠隔教育の受講者の頭部が左右に傾いている場合には、遠隔教育の受講者は、左右に傾いた頭部より見る視線に対して携帯情報端末１０の表示画面１１を垂直に合わせるように携帯情報端末１０を把持することもある。この場合には、携帯情報端末１０は遠隔教育の受講者にとって入力する意図の無い遠隔教育の受講者から見て左右の方向の重力加速度１００の分力成分を生じて、該分力成分を加速度センサ１２が検出することとなる。このような場合には、携帯情報端末１０が略水平に把持されることにより小さな値となった表示画面長辺方向成分１００ａ、表示画面短辺方向成分１００ｂと受講者から見て左右方向に生じる重力加速度１００の該分力成分とが混在することとなる。このような場合には、加速度センサ１２は表示画面長辺方向成分１００ａと表示画面短辺方向成分１００ｂとの差異を比較可能に検出することができなくなるＳ０１Ｂ（図５参照）。
【０１０２】
本実施の形態の携帯情報端末１０が備える描画部１４（図１参照）は、加速度センサ１２（図１参照）により重力加速度１００の長辺方向成分１００ａと短辺方向成分１００ｂとの差異を比較可能に検出することができなくなったＳ０１Ｂ（図５参照）場合には、ジャイロセンサ（図１参照）の検出に基づいて画面表示の切り替えをおこなうように設けられている。例えば、本実施の形態の携帯情報端末１０が備える加速度センサ１２により検出される液晶表示画面１１の法線方向の重力加速度１００の分力成分が、例えば、情報ウインドウ表示基準Ｄ０１ＳＳ（図５参照）で定める閾値を超えて増大したときに、ジャイロセンサ１３の検出結果に応じて画面表示を切り替えるＳ０５（図６参照）ものとするとよい。この場合には、例えば、情報ウインドウ表示基準Ｄ０１ＳＳにより「表示画面１１の法線方向の重力加速度１００の分力成分が０．８Ｇを超えたときには、ジャイロセンサ１３の検出結果に応じて表示画面の切り替えＳ０５をおこなう」ものと定めるとよい。このように、加速度センサ１２とジャイロセンサ１３とを組み合わせて用いることにより検出結果を相互に補完して適切に画面表示を切り替えることができる。
【０１０３】
携帯情報端末１０の画面表示の切り替えは、一の実施の形態では、加速度センサ１２（図１参照）による重力加速度１００の検出のみに応じておこなうものとしてもよい。また、他の実施の形態では、ジャイロセンサ１３（図１参照）による表示画面１１の法線の軸周りの回転２００の検出のみに応じておこなうものとしてもよい。このように設けることにより、より簡易に本発明の携帯情報端末１０を構成することができる。
【０１０４】
以上、本実施の形態の携帯情報端末１０における画面表示の切り替えは、一の情報ウインドウ表示基準Ｄ０１ＳＳ／Ｍ０１（図５参照）に基づき、２画面表示Ｃ０１／Ｄ０２された携帯情報端末１０を鉛直方向から左に傾けたＤ０２Ｂときには第１の情報ウインドウ１を、右に傾けたＤ０２Ｃときには第２の情報ウインドウ２を選択Ｄ０１Ｓ（図５参照）して拡大表示Ｄ０１をおこなうものと説明した。この場合には、遠隔教育の受講者は携帯情報端末１０を傾ける回転方向によって第１の情報ウインドウ１（例えば、２画面表示Ｄ０２された上側の情報ウインドウ）と第２の情報ウインドウ２（例えば、下側の情報ウインドウ）とのいずれを拡大表示Ｄ０１すべきかについて選択Ｄ０１Ｓして指定することができる。しかしながら、本実施の形態の携帯情報端末１０は、以下に（図３を示して）詳述するように、他の情報ウインドウ表示基準Ｄ０１ＳＳ／Ｍ０２（図５参照）に基づいて表示画面の切り替えをおこなうものとしてもよい。
【０１０５】
図３の画面表示の切り替えを示す図を参照して、本実施の形態の携帯情報端末１０の画面表示の切り替えを他の情報ウインドウ表示基準Ｄ０１ＳＳ／Ｍ０２（図５参照）に基づいておこなう他の例について説明する。本実施の形態の携帯情報端末１０の画面表示の切り替えは、前述の一の情報ウインドウ表示基準Ｄ０１ＳＳ／Ｍ０１（図５参照）とは異なる他の情報ウインドウ表示基準Ｄ０１ＳＳ／Ｍ０２に基づいておこなうように設けるものとしてもよい。この場合の情報ウインドウ表示基準Ｄ０１ＳＳの切り替えの選択は遠隔教育の受講者が、例えば、携帯情報端末１０に任意にタッチ入力をおこなうことにより指定しておこなうものとするとよい。前述の一の情報ウインドウ表示基準Ｄ０１ＳＳ／Ｍ０１では、携帯情報端末１０の左方向への回転Ｄ０２Ｂと右方向への回転Ｄ０２Ｃとがそれぞれ特定の情報ウインドウの選択Ｄ０１Ｓ（図５参照）に関連付けられるものと説明した。一方、他の情報ウインドウ表示基準Ｄ０１ＳＳ／Ｍ０２では、携帯情報端末１０の回転Ｄ０２Ｄの方向を問うことなく、情報ウインドウを順次交互に表示するように設けるものとしてもよい。
【０１０６】
本実施の形態の携帯情報端末１０の画面表示の切り替えでは、情報ウインドウ表示基準Ｄ０１ＳＳ／Ｍ０２（図５参照）により、例えば、「２画面表示Ｃ０１／Ｄ０２された携帯情報端末１０を鉛直方向から左右いずれかに４５度（傾斜角θ＝左右４５度）まで傾けるＤ０２Ｄ毎に第１および第２の情報ウインドウ１、２を交互に拡大表示Ｄ０１する」ものと定めるものとしてもよい。この場合には、２画面表示Ｃ０１／Ｄ０２された携帯情報端末１０を、例えば、鉛直方向から右方向に４５度（傾斜角θ＝右４５度）以上まで回転する１回目の回転Ｄ０２Ｄでは、第１の情報ウインドウ１（例えば、２画面表示Ｃ０１／Ｄ０２における上側の情報ウインドウ）を拡大表示Ｃ０１／Ｄ０１することができる。また、情報ウインドウ表示基準Ｄ０１ＳＳ／Ｍ０２により、例えば、「１画面表示Ｃ０１／Ｄ０１された携帯情報端末１０が左右いずれかより鉛直方向から４５度（傾斜角θ＝左右４５度）まで傾きが戻されたときは第１および第２の情報ウインドウ１、２を並べて２画面表示Ｄ０２する」ものと定めるものとしてもよい。この場合には、１画面表示Ｃ０１／Ｄ０１された携帯情報端末１０を、例えば、右に傾けられた状態から鉛直方向から右方向に４５度（傾斜角θ＝右４５度）まで元に戻すと、第１および第２の情報ウインドウ１、２を並べて２画面表示Ｃ０１／Ｄ０２することができる。
【０１０７】
さらに、２画面表示Ｃ０１／Ｄ０２された携帯情報端末１０を鉛直方向から再び右方向に４５度（傾斜角θ＝右４５度）以上まで回転する２回目の回転Ｄ０２Ｄによって、第２の情報ウインドウ２（例えば、２画面表示Ｃ０１／Ｄ０２における下側の情報ウインドウ）が拡大表示Ｃ０１／Ｄ０１される。このように、２画面表示Ｃ０１／Ｄ０２において並べて表示された第１および第２の情報ウインドウ１、２を交互に拡大して１画面表示Ｃ０１/Ｄ０１するように設けることができる。このように設けることにより、例えば、遠隔教育の受講者が利き手に把持した携帯情報端末１０を遠隔教育の受講者が特定の傾け易い一方向にのみ傾ける動作Ｄ０２Ｄに応じて携帯情報端末１０の画面表示を切り替えることができる。
【０１０８】
図４のフロー図を参照して、本実施の形態の携帯情報端末１０の画面表示の入れ替えについて説明する。本実施の形態の携帯情報端末１０は、情報ウインドウ表示基準Ｄ０１ＳＳ（図５および図６参照）に定められた所定の加速度１００ｃまたは回転２００ｃを加速度センサ１２（図１参照）またはジャイロセンサ１３（図１参照）が検出したＳ０１Ａ（図５および図６参照）ときに、第１および第２の情報ウインドウ１、２を第３および第４の情報ウインドウ３、４と入れ替えるように設けるものとするとよい。例えば、情報ウインドウ表示基準Ｄ０１ＳＳ（図５参照）により「水平方向に２Ｇ以上の加速度が検出されたＳ０１Ａ（図５参照）ときは情報ウインドウの入れ替えをおこなう」と定めるものとするとよい。この場合には、携帯情報端末１０を水平方向に強く振る１００ｃことで、情報ウインドウの入れ替えをおこなうことができる。あるいは、例えば、情報ウインドウ表示基準Ｄ０１ＳＳ（図６参照）により「３６０度／秒以上の角速度の回転が検出されたＳ０１Ａ（図６参照）ときは情報ウインドウの入れ替えをおこなう」と定めるものとするとよい。この場合には、携帯情報端末１０を速く回転２００ｃさせることで、情報ウインドウの入れ替えをおこなうことができる。
【０１０９】
また、本実施の形態の携帯情報端末１０の画面表示の入れ替えは、図示する通り、４を超える多数の情報ウインドウ（例えば、第５および第６の情報ウインドウ５、６）が存在する場合には、順次全ての情報ウインドウを表示するように設けるものとするとよい。また、全ての情報ウインドウを表示し終えた後には、図示するように、再び第１および第２の情報ウインドウ１、２に戻って繰り返し表示をおこなうものとするとよい。このように設けることにより、携帯情報端末１０を操作する遠隔教育の受講者は携帯情報端末１０に所定の加速度１００ｃまたは回転２００ｃを与える容易な操作によって多数の情報ウインドウを自在に入れ替えることができる。また、遠隔教育の受講者が入れ替えた情報ウインドウは２画面表示Ｄ０２により並べて、あるいは、１画面表示Ｄ０１により拡大して表示することができる。このため、遠隔教育の受講者は多くの情報を効率良くかつ詳細に参照することができる。
【０１１０】
さらに、本実施の形態の携帯情報端末１０の画面表示の入れ替えと同様に、遠隔教育の受講者が携帯情報端末１０に所定の加速度１００ｃまたは回転２００ｃを与えて指示する操作に応じて、携帯情報端末１０の２画面表示Ｄ０２の表示方向Ｃ０１／Ｃ０２を切り替えるものとしてもよい。例えば、携帯情報端末１０に情報ウインドウ表示基準Ｄ０１ＳＳ（図５および図６参照）で定める所定の加速度１００ｃまたは回転２００ｃが検出されたときに、２画面表示Ｄ０２における第１の表示方向（例えば、縦に並べて表示Ｃ０１（図２（ａ）参照））と第２の表示方向（例えば、横に並べて表示Ｃ０２（図２（ｂ）参照））とを切り替えて表示するものとしてもよい。さらに、遠隔教育の受講者が携帯情報端末１０の画面表示の切り替えを加速度センサ１２（図１参照）またはジャイロセンサ１３（図１参照）のいずれの検出結果に基づいておこなうべきかを選択することができるように設けるものとするとよい。このように設けることにより、遠隔教育の受講者はより随意に携帯情報端末１０に情報を表示して閲覧することができる。
【０１１１】
図５のフローチャートを参照して、本実施の形態の携帯情報端末１０（図２参照）にインストールして、携帯情報端末１０に所定の制御並びに実行処理をおこなわせるためのプログラムについて説明する。プログラムは、加速度センサ１２（図１参照）に重力加速度１００（図２参照）の表示画面長辺方向成分１００ａ（図２参照）と表示画面短辺方向成分１００ｂ（図２参照）とを検出させる（Ｓ０１）ものとするとよい。加速度センサ１２が重力加速度１００の表示画面長辺方向成分１００ａと表示画面短辺方向成分１００ｂとの差異を情報ウインドウ表示基準Ｄ０１ＳＳに照らして比較可能に検出できないＳ０１Ｂ場合には、ジャイロセンサ１３（図１参照）に携帯情報端末１０の回転２００（図２参照）を検出させるサブルーチンプログラム（図６参照）に移行するものとするとよい。
【０１１２】
プログラムは、また、加速度センサ１２（図１参照）に検出させた加速度が情報ウインドウ表示基準Ｄ０１ＳＳで定める所定の加速度１００ｃ（図４参照）であるか否かを、例えば、マイクロプロセッサ２０（図１参照）または描画部１４（図１参照）のリソースを用いて判断する（Ｓ０１Ａ）ものとするとよい。加速度センサ１２が検出した加速度が所定の加速度１００ｃであれば、描画部１４を用いて、液晶表示画面１１（図４参照）に表示すべき情報ウインドウを現在表示している第１および第２の情報ウインドウ１、２（図４参照）から後続の第３および第４の情報ウインドウ３、４（図４参照）に入れ替えるものとするとよい。
【０１１３】
プログラムは、また、描画部１４（図１参照）を用いて液晶表示画面１１（図２参照）に新規に情報ウインドウを表示させる際に、前述の通り、例えば、表示させるべき情報の描画サイズを参照することにより、情報ウインドウを横長表示Ｃ０１（図２（ａ）参照）とすべきか、あるいは縦長表示Ｃ０２（図２（ｂ）参照）とすべきかについて決定するものとするとよい。
【０１１４】
プログラムは、また、描画部１４（図１参照）を用いて液晶表示画面１１（図２参照）に新規に情報ウインドウを表示させる際に、表示させるべき最初の情報ウインドウ（例えば、第１の情報ウインドウ１（図２参照））の描画方向（横長表示Ｃ０１（図２（ａ）参照）または縦長表示Ｃ０２（図２（ｂ）参照））と遠隔教育の受講者による携帯情報端末１０の把持方向とを比較Ｄ００Ｖするものとするとよい。この際、最初の情報ウインドウの描画方向（例えば、横長表示Ｃ０１）と遠隔教育の受講者による携帯情報端末１０の把持方向（例えば、液晶表示画面１１（図２（ａ）参照）を横長Ｄ０１（図２（ａ）参照）に把持）とが一致した場合には、１画面表示Ｄ０１により描画部１４を用いて液晶表示画面１１に初期的に情報ウインドウの表示をおこなう（Ｓ０２）ものとするとよい。
【０１１５】
プログラムは、また、最初の情報ウインドウの描画方向（例えば、横長表示Ｃ０１（図２（ａ）参照））と遠隔教育の受講者による携帯情報端末１０の把持方向（例えば、液晶表示画面１１（図２（ａ）参照）を縦長Ｄ０２（図２（ａ）参照）に把持）とが不一致である場合には、２画面表示Ｄ０２により描画部１４（図１参照）を用いて液晶表示画面１１に初期的に情報ウインドウの表示をおこなう（Ｓ０２）ものとするとよい。
【０１１６】
プログラムは、また、描画部１４（図１参照）を用いて液晶表示画面１１（図２参照）に情報ウインドウを表示させる際に、加速度センサ１２（図１参照）および／またはジャイロセンサ１３（図１参照）による重力加速度１００（図２参照）および／または携帯情報端末１０（図２参照）の回転２００（図２参照）の検出結果を参照するとよい。重力加速度１００および／または携帯情報端末１０の液晶表示画面１１の法線方向の軸周りの回転２００の検出結果を参照することにより、プログラムは携帯情報端末１０の姿勢を検知して、表示すべき情報ウインドウの下辺方向と携帯情報端末１０の下辺方向とを合わせて情報を正しく表示Ｄ０１Ｖ、Ｄ０２Ｖさせるものとするとよい。
【０１１７】
プログラムは、また、１画面表示Ｄ０１がおこなわれている（Ｓ０２）ときに、記録保存部２１（図１参照）により記録保存される情報ウインドウ表示基準Ｄ０１ＳＳを参照することにより、情報ウインドウ表示基準Ｄ０１ＳＳに照らして画面表示を切り替えるべき重力加速度１００が検出されたか否かをマイクロプロセッサ２０（図１参照）または描画部１４（図１参照）のリソースを用いて判断Ｄ０１Ａするものとするとよい。プログラムは、１画面表示Ｄ０１がおこなわれている（Ｓ０２）ときに、情報ウインドウ表示基準Ｄ０１ＳＳに照らして画面表示を切り替えるべき重力加速度１００が検出されたと判断Ｄ０１Ａした場合には、描画部１４を用いて１画面表示Ｄ０１から２画面表示Ｄ０２へと画面表示を切り替えるものとするとよい（Ｓ０２）。
【０１１８】
プログラムは、また、反対に、２画面表示Ｄ０２から１画面表示Ｄ０１へと切り替える場合には、１画面表示Ｄ０１において拡大して表示すべきいずれか一の情報ウインドウを情報ウインドウ表示基準Ｄ０１ＳＳに基づいて、例えば、マイクロプロセッサ２０（図１参照）または描画部１４（図１参照）のリソースを用いて判断して選択Ｄ０１Ｓするものとするとよい。プログラムは、選択Ｄ０１Ｓした一の情報ウインドウを、前述の通り、重力加速度１００（図２参照）および／または携帯情報端末１０（図２参照）の回転２００（図２参照）の情報に基づいて描画の上下方向を判別Ｄ０１Ｖして描画部１４に１画面表示Ｄ０１させるものとするとよい（Ｓ０２）。
【０１１９】
プログラムは、また、１画面表示Ｄ０１と２画面表示Ｄ０２との間の表示切替判定Ｄ０１Ａ、Ｄ０２Ａを１度おこなった後の２度目の表示切替判定Ｄ０１Ａ、Ｄ０２Ａでは、判断をおこなうことなくプログラムを終了するものとするとよい。表示切替判定Ｄ０１Ａ、Ｄ０２Ａの判定回数は、例えば、フラグを用いることによりカウントするものとするとよい。このように設けることにより、プログラムはループすることなく速やかに一連の処理を実行することができる。遠隔教育の受講者が携帯情報端末１０（図２参照）を使用している間は、以上一連の実行処理をおこなうプログラムを連続的に実行することで、携帯情報端末１０の姿勢を監視すると共に、遠隔教育の受講者による画面表示の切り替えの指示（携帯情報端末１０の回転操作）を捕捉して表示画面の切り替えをおこなうことができる。
【０１２０】
図６のフローチャートを参照して、本実施の形態の携帯情報端末１０（図２参照）にインストールして、携帯情報端末１０に所定の制御並びに実行処理をおこなわせるためのプログラムについて説明する。プログラムは、前述の通り図５に示すプログラムのサブルーチン・プログラムとして用いることができる他、ジャイロセンサ１３（図１参照）のみにより携帯情報端末１０（図２参照）の回転２００（図２参照）を検出する実施の形態では、独立した制御プログラムとして図５に示すプログラムと同様に用いることができる。図６に示すプログラムは、図５に示すプログラムと略同様の構成によるものであるが、図５に示すプログラムが加速度センサ１２（図１参照）による重力加速度１００（図２参照）の検出に応じて処理をおこなうのに対し、図６に示すプログラムはジャイロセンサ１３による回転２００の検出に応じて処理をおこなう点で異なる。
【０１２１】
プログラムは、ジャイロセンサ１３（図１参照）に携帯情報端末１０（図２参照）の液晶表示画面１１（図２参照）の法線の軸周りの回転２００（図２参照）を検出させて処理をおこなう点で、図５に示すプログラムが加速度センサ１２（図１参照）に重力加速度１００（図２参照）を検出させて処理をおこなう構成と異なる。具体的には、ジャイロセンサ１３に回転２００を検出させる処理（Ｓ０４）、所定の回転２００ｃ（図４参照）を検出させる処理（Ｓ０４Ａ）、回転２００に基づいて１画面表示Ｄ０１または２画面表示Ｄ０２させる処理（Ｓ０５）、回転２００に基づいて画面表示の切替判定Ｄ０１Ｒ、Ｄ０２Ｒをおこなう処理の点で異なる。
【０１２２】
図７を参照して、本実施の形態の携帯情報端末１０を用いて携帯情報端末１０を操作する遠隔教育の受講者に遠隔教育をおこなう方法について説明する。図７（ａ）では、携帯情報端末１０の液晶表示画面１１に第１の情報ウインドウ１に表示する第１の情報である遠隔教育をおこなう講師の映像３００と第２の情報ウインドウ２に表示する第１の情報を補完する第２の情報である、遠隔教育内容の要点を要約してまとめた遠隔教育内容のレジュメ４００の映像とが２画面表示Ｄ０２により並べて表示されている。なお、第２の情報ウインドウ２に表示する第２の情報である遠隔教育内容のレジュメ４００は第１の情報ウインドウ１に表示される第１の情報である遠隔教育をおこなう講師の映像３００を補完する情報であればよく、遠隔教育内容を要約して示す要約情報であっても、遠隔教育内容を詳細に補足説明するための文章または図表により構成される補足情報であってもよい。
【０１２３】
図示の長方形の第１の情報ウインドウ１および長方形の第２の情報ウインドウ２の各辺の長さの割合は、例えば、長辺：短辺＝√２：１とするとよい。このように構成すると、２つの情報ウインドウを上下に並べて２画面表示Ｄ０２したときと一つの情報ウインドウを大きく拡大して表示Ｄ０１したときとで、情報ウインドウの縦横比を変更する必要が無い。あるいは、情報ウインドウを１画面表示Ｄ０１により拡大して表示するときは、長辺／短辺の比を√２よりも大きく表示してもよい。この場合は情報ウインドウを拡大して表示Ｄ０１したときには多少横長になるが、ＴＶのワイド画面表示と同様に文字等が大きく表示されて見易く表示することができる。あるいは、情報ウインドウ１、２の縦横比は、より標準的に、長辺：短辺＝４：３として表示するものとしてもよい。
【０１２４】
図７（ａ）に示す第１および第２の情報ウインドウ１、２が横長Ｃ０１に表示されているのは、人の両目が左右に離間してそれぞれに視野を有することに起因して、横方向に広い横長Ｃ０１の表示画面が一般的に視認しやすい表示形態であるためである。一方で、一般的な携帯情報端末１０の液晶表示画面１１は携帯性を高めるために、図７（ａ）に示すように縦長の長方形に設けられていることが多い。本発明の携帯情報端末１０によれば、携帯性を優先して典型的には縦長の長方形に設けられる携帯情報端末１０の液晶表示画面１１に、人が視認しやすい横長Ｃ０１の第１および第２の情報ウインドウ１、２を２画面表示Ｄ０２する際に、可能な限り大きく情報を表示することができる。また、遠隔教育の受講者が指定する第１または第２のいずれかの情報ウインドウを拡大表示Ｄ０１する場合には、横転Ｄ０２Ａ（図２参照）された携帯情報端末１０の液晶表示画面１１に人が視認し易い横長Ｃ０１の情報ウインドウをさらに拡大して１画面表示Ｄ０１により表示することができる。
【０１２５】
図７（ａ）に示す本実施の形態の携帯情報端末１０では、例えば、第１の横長Ｃ０１の情報ウインドウ１には主に右脳の機能により理解し易い映像や図形等の情報を表示すると共に、第２の横長Ｃ０１の情報ウインドウ２には主に左脳の機能により理解することができる文字情報を表示することにより、情報の全体を特別に把握し易く表示するものとするとよい。あるいは第１の横長Ｃ０１の情報ウインドウ１には定性的な情報を表示すると共に、第２の横長Ｃ０１の情報ウインドウ２には定量的な情報を表示することにより、情報の全体を特別に判り易く表示するものとするとよい。あるいは、第１の情報ウインドウ１には第１の比較情報を表示すると共に、第２の情報ウインドウ２には第２の比較情報を表示することにより、両者の差異を的確に把握することができるように、情報を特別に判り易く表示するものとするとよい。
【０１２６】
図７（ａ）に示す本実施の形態の携帯情報端末１０では、第１の情報ウインドウ１には第１の情報である遠隔教育の講師が遠隔教育をおこなう様子を写した映像３００が表示されている。このため、遠隔教育の受講者は遠隔教育の講師がおこなう講義の内容を、講師の表情、身振り、手振りから、講師の思考、感情、意思を把握して総合的に学習することができる。また、第２の情報ウインドウ２には、第１の情報を補完する第２の情報である遠隔教育内容の要点を集約して文字および図表により示したレジュメ４００が表示されている。このため、遠隔教育の受講者は遠隔教育の要点を的確かつ集中的に学習することができる。また、遠隔教育の受講者は第１の情報ウインドウ１に表示される総合的な情報を提示する遠隔教育の講師の映像３００（第１の情報）と第２の情報ウインドウ２に表示される集約的な情報を提示する遠隔教育内容のレジュメの映像４００（第１の情報を補完する第２の情報）とを同時に比較して参照することにより特別に効率的に学習をおこなうことができる。
【０１２７】
また、前述の通り、図７（ｂ）および図７（ｃ）に示すように、遠隔教育の受講者が第１および第２の情報ウインドウ１、２のいずれか一方に表示される情報のみをより詳細に検証したい場合には、携帯情報端末１０を左右いずれかの方向に９０度回転Ｄ０２Ａ（図２参照）することで容易に所望の情報ウインドウを拡大表示Ｄ０１して閲覧することができる。遠隔教育の受講者は携帯情報端末１０を把持する片手を例えば左方向に９０度回転するＤ０２Ｂ（図２（ａ）参照）ことで、遠隔教育の講師の映像３００（第１の情報）を視認し易い横長Ｃ０１の長方形の表示画面１１により大きく拡大Ｄ０１して詳細に閲覧することができる（図７（ｂ）参照）。一方、遠隔教育の受講者が携帯情報端末１０を把持する片手を例えば右方向に９０度回転するＤ０２Ｃ（図２（ａ）参照）ことで、遠隔教育内容のレジュメ４００の映像（第１の情報を補完する第２の情報）を視認し易い横長Ｃ０１の長方形の表示画面１１により大きく拡大Ｄ０１して詳細に閲覧することができる（図７（ｃ）参照）。
【０１２８】
遠隔教育の受講者は携帯情報端末１０を把持する片手を回転する特別におこない易い動作によって、特別に視認し易い横長Ｃ０１の第１および第２の２つの情報ウインドウ１、２に表示される情報の全体を２画面表示Ｄ０２により並べて表示することができる（図７（ａ）参照）。また、第１の横長Ｃ０１の情報ウインドウ１の詳細を拡大して表示する１画面表示Ｄ０１（図７（ｂ）参照）と、第２の横長Ｃ０１の情報ウインドウ２の詳細を拡大して表示する１画面表示Ｄ０１（図７（ｃ）参照）とを自在に切り替えて情報を詳細に閲覧することができる。
【０１２９】
図８の画面表示の他の例を参照して、本実施の形態の携帯情報端末１０における１画面表示Ｄ０１において、拡大表示される一の情報ウインドウと縮小表示１ｗ、２ｗされる他の情報ウインドウとについて説明する。図８（ｂ）は、例えば、遠隔教育の受講者が携帯情報端末１０を左に傾けた（回転した）Ｄ０２Ｂ動作に応じて、第１の情報ウインドウ１を１画面表示Ｄ０１により拡大して表示した状態を示す。図８（ｂ）に示す第１の情報ウインドウ１の拡大表示（１画面表示）Ｄ０１では、２画面表示Ｄ０２から１画面表示Ｄ０１に切り替えるＤ０２Ａ（図５参照）ときに選択Ｄ０１Ｓ（図５参照）されなかった他方の情報ウインドウ（第２の情報ウインドウ２）が第１の情報ウインドウ１に重ねて縮小表示２ｗされている。
【０１３０】
このように画面表示をおこなうことにより、遠隔教育の受講者は、第１の情報ウインドウ１を選択Ｄ０１Ｓ（図５参照）して拡大表示Ｄ０１して参照するときも、第２の情報ウインドウ２に表示される情報を縮小表示２ｗにより参照して把握することができる。このため、遠隔教育の受講者は、第２の情報ウインドウ２の情報が更新されたときは、縮小表示２ｗされた第２の情報ウインドウ２の情報（第２の情報）が更新されることによりその変化を把握することができる。また、第２の情報ウインドウ２の内容に遠隔教育の受講者の関心が移ったときは、遠隔教育の受講者は随時２画面表示Ｄ０２（図８（ａ）参照）により第２の情報ウインドウ２を大きく表示して参照することができる。さらに、遠隔教育の受講者は、携帯情報端末１０を右方向に傾ける（回転する）Ｄ０２Ｃことにより第２の情報ウインドウを拡大表示Ｄ０１して参照することができる（図８（ｃ）参照）。
【０１３１】
なお、図８（ｃ）に示す本実施の形態の携帯情報端末１０の画面表示の例のように、拡大表示Ｄ０１される第２の情報ウインドウ２と縮小表示１ｗされる第１の情報ウインドウ１とを並べて表示するものとしてもよい。このように表示することにより、拡大表示Ｄ０１される第２の情報ウインドウ２の情報を縮小表示１ｗされる第１の情報ウインドウ１の情報が隠してしまうことが無く、第２の情報ウインドウ２の情報を好適に拡大表示Ｄ０１することができる。この場合には、第２の情報ウインドウ２の１画面表示Ｄ０１においても第１の情報ウインドウ１と第２の情報ウインドウ２とが２画面表示Ｄ０２において表示されていた方向とは異なる方向に並べて表示されているが、図８（ｃ）に示す情報ウインドウの表示方法は、本質的に第２の情報ウインドウ２を拡大表示Ｄ０１するものであって、図７に示す情報ウインドウの表示方法と同様に本発明の精神に包含されるものである。
【産業上の利用可能性】
【０１３２】
本発明による携帯情報端末および携帯情報端末を制御するためのプログラムは、遠隔教育番組を視聴する遠隔教育の受講者を対象とした遠隔教育に用いることができる他、広く携帯情報端末の操作者がインターネット等の情報通信回線網を介しておこなう携帯情報端末を用いた情報通信全般に用いることができる。
【符号の説明】
【０１３３】
１  第１の情報ウインドウ
１ａ  第１の情報ウインドウ長辺方向（長辺）
１ｂ  第１の情報ウインドウ短辺方向（短辺）
１ｗ  第１の情報ウインドウの縮小表示
２  第２の情報ウインドウ
２ａ  第２の情報ウインドウ長辺方向（長辺）
２ｂ  第２の情報ウインドウ短辺方向（短辺）
２ｗ  第２の情報ウインドウの縮小表示
３  第３の情報ウインドウ
４  第４の情報ウインドウ
５  第５の情報ウインドウ
６  第６の情報ウインドウ
１０  携帯情報端末
１１  表示画面（液晶表示画面）
１１ａ  表示画面長辺方向
１１ｂ  表示画面短辺方向
１２  加速度センサ
１３  ジャイロセンサ
１４  描画部
２０  マイクロプロセッサ（ＭＰＵ）
２１  記録保存部
２２  ランダムアクセスメモリ（ＲＡＭ）
１００  重力加速度
１００ａ  表示画面長辺方向成分（重力加速度）
１００ｂ  表示画面短辺方向成分（重力加速度）
１００ｃ  情報ウインドウ表示基準に定める所定の加速度
２００  表示画面の法線周りの回転
２００ａ  操作者から見て反時計周りの回転
２００ｂ  操作者から見て時計回りの回転
２００ｃ  情報ウインドウ表示基準に定める所定の回転
３００  遠隔教育をおこなう講師の映像（第１の情報）
４００  遠隔教育内容のレジュメの映像（第２の情報）
【図１】
0005944150.tif 000002
【図２】
0005944150.tif 000003
【図３】
0005944150.tif 000004
【図４】
0005944150.tif 000005
【図５】
0005944150.tif 000006
【図６】
0005944150.tif 000007
【図７】
0005944150.tif 000008
【図８】
0005944150.tif 000009